(57)【特許請求の範囲】
【請求項１】
送信信号リークを低減するためのトランシーバであって、
低雑音増幅器と第２のダウンコンバータとの間で構成された入力を有する第１のダウンコンバータと、前記第１のダウンコンバータは、フィードバック信号を生成するために受信信号をダウンコンバートし、
重みを獲得するために前記フィードバック信号をベースバンド送信信号と相関させる重み学習モジュールと、
前記重みおよび第２の送信信号に基づいて推定送信リーク信号を獲得する送信リーク推定器と、
前記受信信号が前記第２のダウンコンバータによってダウンコンバートされる前に、前記推定送信リーク信号に基づいて前記受信信号における送信リークを低減する加算器と
を備えるトランシーバ。
【請求項２】
前記受信信号が、送信リークと、所望受信信号とを備える、請求項１に記載のトランシーバ。
【請求項３】
前記重み学習モジュールが、乗算器と、加算器と、ナローパスフィルタとを備える、請求項１に記載のトランシーバ。
【請求項４】
前記加算器の入力が、前記低雑音増幅器の出力に結合される、請求項１に記載のトランシーバ。
【請求項５】
前記加算器の出力が、前記低雑音増幅器の入力に結合される、請求項１に記載のトランシーバ。
【請求項６】
所望受信信号を獲得するために、前記加算器が、前記推定送信リーク信号を前記受信信号から減算する、請求項１に記載のトランシーバ。
【請求項７】
ベースバンド受信信号と前記ベースバンド送信信号との間のゼロ相関が原因で、前記推定送信リーク信号が、前記所望受信信号のいかなる部分も備えない、請求項６に記載のトランシーバ。
【請求項８】
前記フィードバック信号と前記ベースバンド送信信号の相関部分に起因する信号ゲインを決定することによって、前記重みが、獲得される、請求項１に記載のトランシーバ。
【請求項９】
前記重み学習モジュールが、前記フィードバック信号と前記ベースバンド送信信号の相関部分に起因するＤＣ信号と前記フィードバック信号と前記ベースバンド送信信号の無相関部分に起因するＡＣ信号を生成するために、前記フィードバック信号と前記ベースバンド送信信号の複素乗算を実行し、前記重み学習モジュールが、前記ＤＣ信号を保存する、および前記ＡＣ信号を抑制するために１つまたは複数のフィルタを備え、前記重みが、前記ＤＣ信号である、請求項１に記載のトランシーバ。
【請求項１０】
前記送信リーク推定器が、ゼロ電流を引き込む受動構成要素のみを備える、請求項１に記載のトランシーバ。
【請求項１１】
前記送信信号リークが、デュプレクサを通して前記受信信号上に漏れる、請求項１に記載のトランシーバ。
【請求項１２】
前記デュプレクサが、表面弾性波フィルタ、バルク弾性波フィルタ、セラミックフィルタ、ＬＣフィルタ、および送信フィルタのうちの１つを使用して実施される、請求項１１に記載のトランシーバ。
【請求項１３】
前記送信リーク推定器が、
複数の９０度ハイブリッドと、
複数のトランジスタと、
電力結合器と
を備える、請求項１に記載のトランシーバ。
【請求項１４】
前記第２の送信信号が、アップコンバートされた送信信号から獲得された結合送信信号であり、前記アップコンバートされた送信信号は、前記ベースバンド送信信号をアップコンバートすることによって生成される、請求項１に記載のトランシーバ。
【請求項１５】
前記第２の送信信号が、前記ベースバンド送信信号である、請求項１に記載のトランシーバ。
【請求項１６】
送信信号リークを低減するための方法であって、
低雑音増幅器と第２のダウンコンバータとの間で構成された入力を有する第１のダウンコンバータを使用して受信信号をダウンコンバートすることと、前記第１のダウンコンバータがフィードバック信号を生成し、
重みを獲得するために前記フィードバック信号をベースバンド送信信号と相関させることと、
前記重みおよび第２の送信信号に基づいて推定送信リーク信号を獲得することと、
前記受信信号における前記送信リークを低減するために前記第２のダウンコンバータによって前記受信信号がダウンコンバートされる前に前記受信信号と前記推定送信リーク信号を加算することと
を備える方法。
【請求項１７】
前記受信信号が、送信リークと、所望受信信号とを備える、請求項１６に記載の方法。
【請求項１８】
前記重みが、乗算器と、加算器と、ナローパスフィルタとを使用して獲得される、請求項１６に記載の方法。
【請求項１９】
所望受信信号を獲得するために前記推定送信リーク信号を前記受信信号から減算する加算器を使用して、前記受信信号における前記送信リークが、低減される、請求項１６に記載の方法。
【請求項２０】
前記加算器の入力が、前記低雑音増幅器の出力に結合される、請求項１９に記載の方法。
【請求項２１】
前記加算器の出力が、前記低雑音増幅器の入力に結合される、請求項１９に記載の方法。
【請求項２２】
ベースバンド受信信号と前記ベースバンド送信信号との間のゼロ相関が原因で、前記推定送信リーク信号が、前記所望受信信号のいかなる部分も備えない、請求項１９に記載の方法。
【請求項２３】
前記フィードバック信号と前記ベースバンド送信信号の相関部分に起因する信号ゲインを決定することによって、前記重みが、獲得される、請求項１６に記載の方法。
【請求項２４】
前記フィードバック信号をベースバンド送信信号と前記相関させることが、
前記フィードバック信号と前記ベースバンド送信信号の相関部分に起因するＤＣ信号と前記フィードバック信号と前記ベースバンド送信信号の無相関部分に起因するＡＣ信号を生成するために、前記フィードバック信号と前記ベースバンド送信信号の複素乗算を実行することと、
前記ＤＣ信号を保存するおよび前記ＡＣ信号を抑制するために前記ＤＣ信号および前記ＡＣ信号をフィルタリングすることと、を備え、
前記重みが、前記ＤＣ信号である、請求項１６に記載の方法。
【請求項２５】
ゼロ電流を引き込む受動構成要素のみを備える送信リーク推定器を使用して、前記推定送信リーク信号が、獲得される、請求項１６に記載の方法。
【請求項２６】
前記送信信号リークが、デュプレクサを通して前記受信信号上に漏れる、請求項１６に記載の方法。
【請求項２７】
前記デュプレクサが、表面弾性波フィルタ、バルク弾性波フィルタ、セラミックフィルタ、ＬＣフィルタ、および送信フィルタのうちの１つを使用して実施される、請求項２６に記載の方法。
【請求項２８】
送信リーク推定が、
複数の９０度ハイブリッドと、
複数のトランジスタと、
電力結合器と
を備える回路を使用して、獲得される、請求項１６に記載の方法。
【請求項２９】
前記第２の送信信号が、アップコンバートされた送信信号から獲得された結合送信信号であり、前記アップコンバートされた送信信号が、前記ベースバンド送信信号をアップコンバートすることによって生成される、請求項１６に記載の方法。
【請求項３０】
前記第２の送信信号が、前記ベースバンド送信信号である、請求項１６に記載の方法。
【請求項３１】
トランシーバ上において送信信号リークを低減するためのプログラムであって、
低雑音増幅器と第２のダウンコンバータとの間で構成された入力を有する第１のダウンコンバータを使用して前記トランシーバに受信信号をダウンコンバートさせる手順と、前記第１のダウンコンバータがフィードバック信号を生成し、
重みを獲得するために前記トランシーバに前記フィードバック信号をベースバンド送信信号と相関させる手順と、
前記重みおよび第２の送信信号に基づいて前記トランシーバに推定送信リーク信号を獲得させる手順と、
前記トランシーバに前記受信信号における前記送信リークを低減するために前記第２のダウンコンバータによって前記受信信号がダウンコンバートされる前に前記受信信号と前記推定送信リーク信号を加算させる手順と
をコンピュータに実行させるためのプログラム。
【請求項３２】
前記受信信号が、送信リークと、所望受信信号とを備える、請求項３１に記載のプログラム。
【請求項３３】
前記重みが、乗算器と、加算器と、ナローパスフィルタとを使用して獲得される、請求項３１に記載のプログラム。
【請求項３４】
所望受信信号を獲得するために前記推定送信リーク信号を前記受信信号から減算する加算器を使用して、前記受信信号における前記送信リークが、低減される、請求項３１に記載のプログラム。
【請求項３５】
前記加算器の入力が、前記低雑音増幅器の出力に結合される、請求項３４に記載のプログラム。
【請求項３６】
前記加算器の出力が、前記低雑音増幅器の入力に結合される、請求項３４に記載のプログラム。
【請求項３７】
送信信号リークを低減するためのトランシーバであって、
低雑音増幅器と第２のダウンコンバータとの間で構成された入力を有する受信信号をダウンコンバートするための手段と、ダウンコンバートするための前記手段が、フィードバック信号を生成し、
重みを獲得するために前記フィードバック信号をベースバンド送信信号と相関させるための手段と、
前記重みおよび第２の送信信号に基づいて推定送信リーク信号を獲得するための手段と、
前記受信信号が前記第２のダウンコンバータによってダウンコンバートされる前に、前記受信信号における前記送信リークを低減するために前記受信信号と前記推定送信リーク信号を加算するための手段と
を備えるトランシーバ。
【請求項３８】
前記受信信号が、送信リークと、所望受信信号とを備える、請求項３７に記載のトランシーバ。
【請求項３９】
前記フィードバック信号を前記送信信号と相関させるための前記手段が、乗算器と、加算器と、ナローパスフィルタとを備える、請求項３７に記載のトランシーバ。
【請求項４０】
前記受信信号における前記送信リークを低減するための前記手段が、所望受信信号を獲得するために前記推定送信リーク信号を前記受信信号から減算する加算器を備える、請求項３７に記載のトランシーバ。
【請求項４１】
前記加算器の入力が、前記低雑音増幅器の出力に結合される、請求項４０に記載のトランシーバ。
【請求項４２】
前記加算器の出力が、前記低雑音増幅器の入力に結合される、請求項４０に記載のトランシーバ。
【発明の詳細な説明】
【技術分野】
【０００１】
関連出願の相互参照
[0001]本開示は、２０１３年３月１４日に出願された米国非仮出願第１３／８２８，４９６号の優先権を主張し、同非仮出願の内容は、その全体が、あらゆる目的で、参照により本明細書に組み込まれる。
【０００２】
[0002]本開示は、一般に、通信システムのためのワイヤレスデバイスに関する。より詳細には、本開示は、トランシーバにおいて送信（Ｔｘ）リークを除去するためのシステムおよび方法に関する。
【背景技術】
【０００３】
[0003]電子デバイス（セルラ電話、ワイヤレスモデム、コンピュータ、デジタル音楽プレーヤ、全地球測位システムユニット、携帯情報端末、ゲームデバイスなど）は、日々の生活の一部になっている。小型のコンピューティングデバイスは、今では、自動車から住宅用錠にいたるあらゆるものの中に配置される。電子デバイスの複雑さは、ここ数年のうちに劇的に増した。たとえば、多くの電子デバイスは、デバイスの制御を助ける１つまたは複数のプロセッサばかりでなく、プロセッサおよびデバイスの他のパーツをサポートする数々のデジタル回路も有する。
【０００４】
[0004]これらの電子デバイスは、互いにおよびネットワークとワイヤレス通信し得る。これらの電子デバイスによる情報を求める要求が増加するにつれて、ダウンリンクスループットばかりでなく、所望の機能も増加している。
【０００５】
[0005]電子デバイスは、より小型に、より安価になってもいる。サイズおよびコストの両方の低下を促進するために、追加の回路およびより複雑な回路が、集積回路上で使用されている。電子デバイスの機能を増加すると同時に、電子デバイスが回路を再使用することを可能にする、電子デバイスに対する改良によって、利益が実現され得る。
【発明の概要】
【０００６】
[0006]送信信号リークを低減するためのトランシーバが、説明される。トランシーバは、フィードバック信号を生成するために受信信号をダウンコンバートするダウンコンバータを含む。トランシーバは、重みを獲得するためにフィードバック信号を送信信号と相関させる重み学習モジュールも含む。トランシーバは、重みおよび送信信号に基づいて推定送信リーク信号を獲得する送信リーク推定器をさらに含む。トランシーバは、推定送信リーク信号に基づいて受信信号における送信リークを低減する送信リーク低減器も含む。
【０００７】
[0007]受信信号は、送信リークと、所望受信信号とを含み得る。重み学習モジュールは、乗算器と、加算器と、ナローパスフィルタとを備えることができる。加算器の入力は、低雑音増幅器の出力に結合され得る。加算器の出力は、低雑音増幅器の入力に結合され得る。
【０００８】
[0008]所望受信信号を獲得するために、加算器は、推定送信リーク信号を受信信号から減算することができる。ベースバンド受信信号と送信信号との間のゼロ相関が原因で、推定送信リーク信号は、所望受信信号のいかなる部分も含み得ない。フィードバック信号と送信信号の相関部分に起因する信号ゲインを決定することによって、重みが、獲得され得る。重みは、直流信号とすることができる。
【０００９】
[0009]送信リーク推定器は、ゼロ電流を引き込む受動構成要素のみを含み得る。送信信号リークは、デュプレクサを通して受信信号上に漏れることがある。デュプレクサは、表面弾性波フィルタ、バルク弾性波フィルタ、セラミックフィルタ、ＬＣフィルタ、または送信フィルタを使用して実施され得る。
【００１０】
[0010]送信リーク推定器は、複数の９０度ハイブリッドと、複数のトランジスタと、電力結合器とを含み得る。送信信号は、アップコンバートされた送信信号から獲得された結合送信信号とすることができる。送信信号は、ベースバンド送信信号とすることができる。
【００１１】
[0011]送信信号リークを低減するための方法も、説明される。フィードバック信号を生成するために、受信信号が、ダウンコンバートされる。重みを獲得するために、フィードバック信号が、送信信号と相関させられる。重みおよび送信信号に基づいて、推定送信リーク信号が、獲得される。推定送信リーク信号に基づいて、受信信号における送信リークが、低減される。
【００１２】
[0012]所望受信信号を獲得するために推定送信リーク信号を受信信号から減算する加算器を使用して、受信信号における送信リークが、低減され得る。ゼロ電流を引き込む受動構成要素のみを含む送信リーク推定器を使用して、推定送信リーク信号が、獲得され得る。複数の９０度ハイブリッドと、複数のトランジスタと、電力結合器とを含む回路を使用して、送信リーク推定が、獲得され得る。
【００１３】
[0013]トランシーバ上において送信信号リークを低減するためのコンピュータプログラム製品が、説明される。コンピュータプログラム製品は、命令を有する非一時的なコンピュータ可読媒体を含む。命令は、フィードバック信号を生成するためにトランシーバに受信信号をダウンコンバートさせるためのコードを含む。命令は、重みを獲得するためにトランシーバにフィードバック信号を送信信号と相関させるためのコードも含む。命令は、重みおよび送信信号に基づいてトランシーバに推定送信リーク信号を獲得させるためのコードをさらに含む。命令は、推定送信リーク信号に基づいてトランシーバに受信信号における送信リークを低減させるためのコードも含む。
【００１４】
[0014]送信信号リークを低減するためのトランシーバも、説明される。トランシーバは、フィードバック信号を生成するために受信信号をダウンコンバートするための手段を含む。トランシーバは、重みを獲得するためにフィードバック信号を送信信号と相関させるための手段も含む。トランシーバは、重みおよび送信信号に基づいて推定送信リーク信号を獲得するための手段をさらに含む。トランシーバは、推定送信リーク信号に基づいて受信信号における送信リークを低減するための手段も含む。
【図面の簡単な説明】
【００１５】
【図１】[0015]本発明のシステムおよび方法において使用するためのワイヤレスデバイスを示す図。
【図２】[0016]Ｔｘリークを除去するための方法のフロー図。
【図３】[0017]Ｔｘリーク除去を含むワイヤレスデバイスの１つの構成を示すブロック図。
【図４】[0018]Ｔｘリーク除去を含むワイヤレスデバイスの別の構成を示すブロック図。
【図５】[0019]Ｔｘリーク除去を含むワイヤレスデバイスのまた別の構成を示すブロック図。
【図６】[0020]ワイヤレス通信デバイス内に含まれ得るいくつかの構成要素を示す図。
【図７】[0021]基地局内に含まれ得るいくつかの構成要素を示す図。
【発明を実施するための形態】
【００１６】
[0022]図１は、本発明のシステムおよび方法において使用するためのワイヤレスデバイス１０２を示している。ワイヤレスデバイス１０２は、受信（Ｒｘ）信号１１２におけるＴｘリークを低減するように構成され得る。ワイヤレスデバイス１０２は、ワイヤレス通信デバイスまたは基地局とすることができる。基地局は、１つまたは複数のワイヤレス通信デバイスと通信する局である。基地局は、アクセスポイント、ブロードキャスト送信機、ノードＢ、進化型ノードＢ（ｅＮＢ）などと呼ばれることもあり、それらの機能の一部または全部を含み得る。基地局に関するさらなる詳細は、以下で図８において与えられる。
【００１７】
[0023]ワイヤレス通信デバイスは、端末、アクセス端末、ユーザ機器（ＵＥ）、加入者ユニット、局などと呼ばれることもあり、それらの機能の一部または全部を含み得る。ワイヤレス通信デバイスは、セルラーフォン、携帯情報端末（ＰＤＡ）、ワイヤレスデバイス、ワイヤレスモデム、ハンドヘルドデバイス、ラップトップコンピュータ、ＰＣカード、コンパクトフラッシュ（登録商標）、外部または内部モデム、有線電話などである可能性がある。ワイヤレス通信デバイスは、移動型または固定型である可能性がある。ワイヤレス通信デバイスに関するさらなる詳細は、以下で図８において与えられる。
【００１８】
[0024]ワイヤレスデバイス１０２はアンテナ１０４を含み得る。アンテナ１０４は、所望Ｒｘ信号１７７の受信とブロードキャストＴｘ信号１７５の送信の両方のために使用され得る。ブロードキャストＴｘ信号１７５は、Ｔｘ信号１４８を含み得る。いくつかの構成では、ワイヤレスデバイス１０２は、複数のアンテナを含み得る。
【００１９】
[0025]ワイヤレスデバイス１０２は、トランシーバ１０６を含み得る。トランシーバ１０６は、Ｒｘ信号１１２におけるＴｘリーク１７３の量を低減するフィードバックベースのキャンセラとして構成され得る。Ｒｘ信号１１２は、所望Ｒｘ信号１７７とＴｘリーク１７３の両方を含み得る。
【００２０】
[0026]本明細書で説明されるシステムおよび方法によれば、狭い間隔で配置されたＴｘ信号１４８と所望Ｒｘ信号１７７に関して、Ｔｘリーク１７３は、Ｒｘ信号１１２において、所望Ｒｘ信号１７７を減衰させずに、低減され得る。狭い間隔で配置されたＴｘ信号１４８と所望Ｒｘ信号１７７の例は、ＬＴＥバンド１７におけるような、Ｔｘ−Ｒｘ間隔が３０ＭＨｚである、ＬＴＥ（ロングタームエボリューション）１０ＭＨｚ（メガヘルツ）信号とすることができる。
【００２１】
[0027]本明細書で説明されるシステムおよび方法は、同調フロントエンドフィルタも可能にすることができる。たとえば、ワイヤレスデバイス１０２は、同調フィルタまたはハイブリッド変成器を含むように構成され得る。同調フロントエンドフィルタは、Ｔｘリークの排除を助けることができる。
【００２２】
[0028]トランシーバ１０６は、受信（Ｒｘ）部、と送信（Ｔｘ）部とを含み得る。Ｒｘ部は、デュプレクサ／変成器１５０と、送信（Ｔｘ）リーク低減器１０８と、低雑音増幅器（ＬＮＡ）１１４と、ダウンコンバータ１５６と、ベースバンドフィルタ１６０とを含み得る。Ｔｘリーク低減器１０８は、フィードバックループの部分として、加算器１１０と、ダウンコンバータ１１８と、重み学習モジュール１２０と、Ｔｘリーク推定器１２８とを含み得る。トランシーバ１０６のＲｘ部は、所望Ｒｘ信号１７７をアンテナ１０４からデュプレクサ／変成器１５０を通してＴｘリーク低減器１０８の入力に渡すことによって、獲得されたＲｘ信号１１２におけるＴｘリーク１７３を低減することができる。ダウンコンバータ１５６は、ベースバンドＲｘ信号１７９をベースバンドフィルタ１６０に出力することができる。
【００２３】
[0029]トランシーバ１０６のＴｘ部は、ベースバンドフィルタ１８０と、アップコンバータ１４０と、電力増幅器（ＰＡ）１４６と、デュプレクサ／変成器１５０とを含み得る。デュプレクサ／変成器１５０は、Ｒｘ部とＴｘ部の両方によって利用され得る。
【００２４】
[0030]トランシーバ１０６のＴｘ部は、たとえば、ブロードキャストＴＸ信号１７５として、アンテナ１０４から送信されるＴｘ信号１４８を生成することができる。Ｔｘ信号１４８は、ベースバンドＴｘ信号１３６を最初にアップコンバートし、次いで増幅することによって生成され得る。
【００２５】
[0031]ワイヤレスデバイス１０２は、単一のアンテナ１０４を通して、ブロードキャストＴｘ信号１７５を送信し、所望Ｒｘ信号１７７を受信するように構成され得る。全二重モードでは、ワイヤレスデバイス１０２は、同時に、ブロードキャストＴｘ信号１７５の送信と所望Ｒｘ信号１７７の受信とを同時に行うことができる。しかしながら、全二重システムでは、Ｔｘ信号１４８の一部が、（たとえば、デュプレクサ／変成器１５０を通して）Ｔｘリーク１７３として、受信されたＲｘ信号１１２上に漏れることがある。言い換えれば、全二重システムでは、ワイヤレスデバイス１０２上の受信機は、送信機からのＴｘリーク１７３によって妨害されることがある。この妨害は、受信経路において歪みを引き起こすことがあり、所望Ｒｘ信号１７７に干渉することがある。さらに、アクティブなトランシーバ１０６の構成要素からの雑音が、Ｒｘ信号１１２内に導入されることがある。Ｒｘ信号１１２内の望ましくないＴｘ雑音またはＴｘリーク１７３はいずれも、Ｒｘ信号１１２の品質および感度を悪化させることがある。
【００２６】
[0032]Ｔｘ信号１４８は、所望Ｒｘ信号１７７とは異なる周波数にあることができる。たとえば、Ｔｘ信号１４８は、パーソナル通信サービス（ＰＣＳ）バンドでは８ＭＨｚ、セルラバンドでは４５ＭＨｚ、所望Ｒｘ信号１７７からずらされ得る。しかしながら、Ｔｘ信号１４８が所望Ｒｘ信号１７７とは異なる周波数にある場合であっても、Ｔｘリーク１７３が、依然として発生し、所望Ｒｘ信号１７７を悪化させることがある。
【００２７】
[0033]いくつかの構成では、Ｔｘ信号１４８は、所望Ｒｘ信号１７７と同じ周波数にあることがある。たとえば、所望Ｒｘ信号１７７の周波数とＴｘ信号１４８の周波数との間にずれが存在しないことがある。所望Ｒｘ信号１７７とＴｘ信号１４８が、同じ周波数または近くの周波数を共用する場合であっても、本明細書で説明されるシステムおよび方法は、Ｔｘリーク１７３を低減するために、および／またはＲｘ信号１１２から排除するために利用され得る。このように、所望Ｒｘ信号１７７とＴｘ信号１４８が、同じ周波数または近くの周波数を共用する場合であっても、所望Ｒｘ信号１７７の悪化は、低減され得る。
【００２８】
[0034]いくつかのワイヤレスデバイス１０２の構成では、複数のブロードキャストＴｘ信号１７５と所望Ｒｘ信号１７７が、同時に送信および受信される。複数の信号の利用は、ワイヤレスデバイス１０２が、一度により多くのデータを送信および受信することを可能にする。しかしながら、より多くの信号が、同時に送信および受信されればされるほど、追加の回路が、必要とされる。加えて、同時に送信および受信される信号の数、ならびにそれらの帯域幅が、増加するにつれて、受信信号と送信信号との間の周波数ギャップは、狭くなり、フィルタによる各Ｒｘ信号１１２からのＴｘリーク１７３およびＴｘ雑音の除去は、ますます困難になる。
【００２９】
[0035]いくつかの構成では、デュプレクサ／変成器１５０は、デュプレクサとすることができる。デュプレクサは、単一のアンテナ１０４など、単一の経路上で、双方向（二重）通信を可能にする。一般に、デュプレクサは、５０〜５５ｄＢ（デシベル）だけ、Ｒｘ信号１１２からＴｘ信号１４８を分離することができる。
【００３０】
[0036]デュプレクサは、トランシーバ１０６が、アンテナ１０４において、信号の送信と受信の両方を行うことを可能にすることができる。デュプレクサは、アンテナ１０４において受信された所望周波数を分離するための、表面弾性波（ＳＡＷ）フィルタまたはバルク弾性波（ＢＡＷ）フィルタなどの、１つまたは複数のフィルタを含み得る。たとえば、デュプレクサは、表面弾性波（ＳＡＷ）デュプレクサとすることができる。
【００３１】
[0037]複数の周波数バンドが全二重モードで利用される構成では、トランシーバ１０６は、複数のデュプレクサを必要とすることがある。言い換えれば、Ｔｘバンドおよび／またはＲｘバンドごとに、追加のデュプレクサが、必要とされることがある。しかしながら、追加のデュプレクサは、必要な構成要素をより多くし、必要とされるダイスペースをより大きくする結果をもたらすことがある。
【００３２】
[0038]いくつかの構成では、デュプレクサ／変成器１５０は、ハイブリッド変成器などの変成器とすることができる。トランシーバ１０６は、フィードバックベースのキャンセラとして機能することができる。いくつかの知られた構成では、トランシーバ１０６は、フィードバックループを使用してＴｘリークを除去するために使用される。フィードバックループは、フィードバック信号１２２を獲得するために、Ｔｘ局所発振器（ＬＯ）を使用して、Ｒｘ信号１１２をダウンコンバートすることができる。フィードバック信号１２２は、次いで、ローパスフィルタを通過させられる。ローパスフィルタは、ダウンコンバートされた所望Ｒｘ信号１７７を除去することによって、ダウンコンバートされたＴｘリーク１７３をフィードバック信号１２２内に保存することができる。保存されたＴｘリークは、次いで、同じＴｘ局所発振器（ＬＯ）を使用して、アップコンバートされ、所望Ｒｘ信号１７７とＴｘリーク１７３の両方を含むＲｘ信号１１２から減算される。このように、Ｔｘリーク１７３は、Ｒｘ信号１１２から減算され得る。しかしながら、この手法には、問題があり得る。
【００３３】
[0039]たとえば、狭い間隔で配置されたＴｘ信号１４８と所望Ｒｘ信号１７７に関して、ローパスフィルタは、Ｔｘリーク１７３を保存しようと試みる際、フィードバック信号１２２から所望Ｒｘ信号１７７のすべてを取り除くとは限らないことがある。したがって、所望Ｒｘ信号１７７の一部が、フィードバックループによってアップコンバートされ、受信信号１１２から減算されることがあり、その結果、所望Ｒｘ信号１７７の減衰を引き起こす。たとえば、ＬＴＥ（ロングタームエボリューション）７００ＭＨｚ（メガヘルツ）バンドでは、所望Ｒｘ信号１７７とＴｘ信号１４８は各々、３０ＭＨｚギャップによって分離された１０ＭＨｚの帯域幅を有することができる。
【００３４】
[0040]他の知られた構成は、フィードバック信号１２２を生成するために、Ｒｘ信号１１２をダウンコンバートするために、Ｒｘ局所発振器（ＬＯ）を使用し、フィルタリングされたフィードバック信号１２２をアップコンバートするために、同じＲｘ局所発振器（ＬＯ）を使用する。これらの構成は、Ｔｘリークをフィードバック信号１２２内に保存するために、ハイパスフィルタを使用することができる。しかしながら、これらの構成では、Ｔｘ信号１４８と所望Ｒｘ信号１７７が、狭い間隔で配置される場合、ハイパスフィルタは、フィードバック信号１２２から所望Ｒｘ信号１７７のすべてを取り除くとは限らないことがある。したがって、所望Ｒｘ信号１７７の一部が、Ｒｘ局所発振器（ＬＯ）によってアップコンバートされ、Ｒｘ信号１１２から減算されることがあり、その結果、所望Ｒｘ信号１７７の減衰を引き起こす。
【００３５】
[0041]いくつかの構成では、トランシーバ１０６は、Ｒｘ信号１１２を獲得することができる。たとえば、信号が、アンテナ１０４において受信され、Ｒｘ信号１１２を獲得するために、デュプレクサ／変成器１５０によってフィルタリングされ得る。Ｒｘ信号１１２は、Ｔｘリーク低減器１０８に提供され得る。Ｔｘリーク低減器１０８の出力は、増幅Ｒｘ信号１１６を出力する低雑音増幅器（ＬＮＡ）１１４に提供され得る。
【００３６】
[0042]増幅Ｒｘ信号１１６は、Ｔｘリークを推定するために、フィードバックループにおいて使用され得る。増幅Ｒｘ信号１１６は、フィードバック信号１２２を生成するために、ダウンコンバータ１１８に提供され得る。フィードバック信号１２２は、重み学習モジュール１２０に提供され得る。
【００３７】
[0043]重み学習モジュール１２０は、重み１２４を獲得するために、フィードバック信号１２２およびベースバンドＴｘ信号１３６を処理することができる。いくつかの構成では、ベースバンドＴｘ信号１３６は、同相（Ｉ）成分（たとえば、信号）と、直交（Ｑ）成分（たとえば、信号）とを含み得る。たとえば、ベースバンドＴｘ信号１３６は、ベースバンドＴｘ信号Ｉと、ベースバンドＴｘ信号Ｑとを含み得る。同様に、重み１２４は、重みＩと、重みＱとに分離され得る。簡潔にするために、図１には、ただ１つの信号経路が、示されている。しかしながら、トランシーバ１０６のいくつかの構成では、複数の信号経路が、利用され得る。
【００３８】
[0044]重み１２４は、入力信号を乗算し、次いで、その結果を積分またはローパスフィルタリングすることによって生成される、複素相関係数とすることができる。たとえば、重み１２４は、フィードバック信号１２２とベースバンドＴｘ信号１３６との間の相関係数を提供することができる。フィードバック信号１２２とベースバンドＴｘ信号１３６の乗算は、これら２つの信号の相関部分に起因する直流（ＤＣ）信号と、これら２つの信号の無相関部分に起因する交流（ＡＣ）信号とを生成することができる。
【００３９】
[0045]フィードバック信号１２２は、ベースバンドＴｘ信号１３６と強い相関性のある、ダウンコンバートされたＴｘリーク１７３を含む。フィードバック信号１２２は、ベースバンドＴｘ信号１３６と相関性のない、ダウンコンバートされた所望Ｒｘ信号１７７も含む。したがって、フィードバック信号１２２内に含まれるダウンコンバートされた所望Ｒｘ信号１７７をベースバンドＴｘ信号１３６によって乗算することは、重み学習モジュール１２０内の積分器またはローパスフィルタによって後で除去される、交流（ＡＣ）信号を生成する。重み学習モジュール１２０の所望出力は、直流（ＤＣ）であるので、重み学習モジュール１２０内のローパスフィルタの帯域幅は、全交流（ＡＣ）信号がゼロに抑制され得るように、０Ｈｚ近くに設定され得る。
【００４０】
[0046]Ｔｘリーク推定器１２８は、推定Ｔｘリーク信号１３４を獲得するために、重み１２４をベースバンドＴｘ信号１３６に適用することができる。この構成では、重み１２４をベースバンドＴｘ信号１３６に適用した後、結果の信号は、推定Ｔｘリーク信号１３４を生成するために、Ｔｘ局所発振器（ＬＯ）周波数にアップコンバートされ得る。
【００４１】
[0047]いくつかの構成では、Ｔｘリーク推定器１２８は、ベースバンドＴｘ信号１３６の代わりにＴｘ信号１４８に重み１２４を適用することによって、推定Ｔｘリーク信号１３４を推定することができる。この構成では、Ｔｘ信号１４８は、すでにＴｘ局所発振器（ＬＯ）周波数にあるので、Ｔｘリーク推定器１２８内において、アップコンバージョンは、必要とされない。
【００４２】
[0048]推定Ｔｘリーク信号１３４は、加算器１１０に提供され得る。推定Ｔｘリーク信号１３４は、加算器１１０を使用して、Ｒｘ信号１１２から減算され得る。このように、Ｒｘ信号１１２から推定Ｔｘリーク信号１３４を減算することによって、Ｔｘリークが、低減され、または所望Ｒｘ信号１７７とＴｘリーク１７３の両方を含むＲｘ信号１１２から排除され得る。
【００４３】
[0049]ベースバンドＴｘ信号１３６およびＴｘ信号１４８は、所望Ｒｘ信号１７７を含まないので、推定Ｔｘリーク信号１３４も、所望Ｒｘ信号１７７を含まない。したがって、所望Ｒｘ信号１７７のいかなる部分も、Ｒｘ信号１１２から減算されない。したがって、所望Ｒｘ信号は、悪化させられず、所望Ｒｘ信号の減衰は、回避される。Ｒｘ信号１１２は、推定Ｔｘリーク信号１３４がＲｘ信号１１２から減算される前または後のいずれかに、低雑音増幅器（ＬＮＡ）１１４によって増幅され得る。
【００４４】
[0050]いくつかの構成では、所望Ｒｘ信号１７７が、加算器１１０から出力された後に、低雑音増幅器（ＬＮＡ）１１４に提供され得る。所望Ｒｘ信号１７７は、ダウンコンバータ１５６によってダウンコンバートされ、ベースバンドフィルタ１６０によってフィルタリングされ、フィルタリングされたベースバンドＲｘ信号１８１として、デジタル処理のために、トランシーバ１０６から出力され得る。
【００４５】
[0051]他の構成では、Ｒｘ信号１１２は、推定Ｔｘリーク信号１３４が加算器１１０によって減算される前に、低雑音増幅器（ＬＮＡ）１１４によって増幅され得る。したがって、構成に応じて、低雑音増幅器（ＬＮＡ）１１４は、加算器１１０の入力の前に配置され得る。
【００４６】
[0052]図２は、Ｔｘリークを除去するための方法２００のフロー図である。方法２００は、ワイヤレスデバイス１０２によって実行され得る。ワイヤレスデバイス１０２は、ワイヤレス通信デバイスまたは基地局とすることができる。ワイヤレスデバイス１０２は、フィードバック信号１２２を生成するために、Ｒｘ信号１１２をダウンコンバートする（２０２）ことができる。ダウンコンバージョンは、フィードバックループの一部であることができる。Ｒｘ信号１１２は、所望Ｒｘ信号１７７と、Ｔｘリーク１７３（すなわち、ワイヤレスデバイス１０２によって送信されたＴｘ信号からのリーク）とを含み得る。１つの構成では、Ｒｘ信号１１２は、ダウンコンバートされる（２０２）前に、低雑音増幅器（ＬＮＡ）１１４によって増幅され得る。
【００４７】
[0053]ワイヤレスデバイス１０２は、重み１２４を獲得するために、フィードバック信号１２２をベースバンドＴｘ信号１３６と相関させる（２０４）ことができる。これは、重み学習モジュール１２０によって実行され得る。いくつかの構成では、重み１２４は、複素数とすることができ、およびＤＣ値を有することができる。
【００４８】
[0054]ワイヤレスデバイス１０２は、重み１２４およびベースバンドＴｘ信号１３６に基づいて、推定Ｔｘリーク信号１３４を獲得する（２０６）ことができる。これは、Ｔｘリーク推定器１２８によって実行され得る。ワイヤレスデバイス１０２は、重み１２４をベースバンドＴｘ信号１３６に適用し、次いで、推定Ｔｘリーク信号１３４を獲得するために、その結果をＴｘ  ＬＯ周波数にアップコンバートすることができる。推定Ｔｘリークを獲得するために、重み１２４およびベースバンドＴｘ信号１３６のみが使用されるので、所望Ｒｘ信号１７７は、推定Ｔｘリーク信号１３４内に存在しない。言い換えれば、Ｔｘリーク低減器１０８は、Ｒｘ信号１１２から所望Ｒｘ信号１７７を減算しない。これは、所望Ｒｘ信号が悪化させられるのを防止する。
【００４９】
[0055]１つの構成では、Ｔｘリーク推定器１２８は、重み１２４をベースバンドＴｘ信号１３６に適用し、次いで、その結果をＴｘ局所発振器（ＬＯ）周波数にアップコンバートすることによって、推定Ｔｘリーク信号１３４を生成することができる。別の構成では、Ｔｘリーク推定器１２８は、すでにＴｘ局所発振器（ＬＯ）周波数を中心にして置かれたＴｘ信号１４８に重み１２４を適用することによって、推定Ｔｘリーク信号１３４を生成することができる。この構成では、Ｔｘ信号１４８は、ベースバンドＴｘ信号１３６をアップコンバートし、その結果を増幅することによって、獲得される。フィードバックループは、完結され得、次いで、推定Ｔｘリーク信号１３４が、加算器１１０に提供され得る。
【００５０】
[0056]推定Ｔｘリーク信号１３４がベースバンドＴｘ信号１３６から生成される構成では、ベースバンドＴｘ信号１３６は、ベースバンドＴｘ信号ＩおよびベースバンドＴｘ信号Ｑなどの、Ｉ信号と、Ｑ信号とを含み得る。同様に、重み１２４は、重みＩと、重みＱとに分離され得る。このように、重みＩは、ベースバンドＴｘ信号Ｉに適用され得、重みＱは、ベースバンドＴｘ信号Ｑに適用され得る。Ｉ信号およびＱ信号は、それぞれ、局所発振器（ＬＯ）Ｉ信号および局所発振器（ＬＯ）Ｑ信号によってアップコンバートされ、推定Ｔｘリーク信号１３４を形成するために結合され得る。
【００５１】
[0057]推定Ｔｘリーク信号１３４がＴｘ信号１４８から生成される構成では、Ｔｘ信号１４８は、Ｔｘリーク推定器１２８内において、同相（Ｉ）成分と、直交（Ｑ）成分とに分離され得る。同様に、重み１２４は、重みＩと、重みＱとに分離され得る。このように、重みＩは、Ｔｘ信号Ｉに適用され得、重みＱは、Ｔｘ信号Ｑに適用され得る。Ｉ信号およびＱ信号は、推定Ｔｘリーク信号１３４を形成するために結合され得る。
【００５２】
[0058]ワイヤレスデバイス１０２は、Ｒｘ信号１１２におけるＴｘリークを低減する（２０８）ことができる。Ｒｘ信号１１２は、所望Ｒｘ信号１７７とＴｘリーク１７３の両方を含むので、Ｒｘ信号１１２からの推定Ｔｘリーク信号１３４の減算は、（増幅Ｒｘ信号１１６において）所望Ｒｘ信号１７７のみが残る結果をもたらすことができる。Ｔｘリーク低減器１０８内の加算器１１０は、Ｒｘ信号１１２から推定Ｔｘリーク信号１３４を減算することができる。このように、所望Ｒｘ信号１７７は、Ｒｘ信号１１２から減算されない。
【００５３】
[0059]いくつかの構成では、所望Ｒｘ信号１７７は、加算器１１０から出力された後に、低雑音増幅器（ＬＮＡ）１１４に提供され得る。所望Ｒｘ信号１７７は、ダウンコンバータ１５６によってダウンコンバートされ、ベースバンドフィルタ１６０によってフィルタリングされ、フィルタリングされたベースバンドＲｘ信号１８１として、デジタル処理のために、トランシーバ１０６から出力され得る。
【００５４】
[0060]他の構成では、Ｒｘ信号１１２は、推定Ｔｘリーク信号１３４が加算器１１０によって減算される前に、低雑音増幅器（ＬＮＡ）１１４によって増幅され得る。したがって、構成に応じて、低雑音増幅器（ＬＮＡ）１１４は、加算器１１０の入力において配置され得る。
【００５５】
[0061]図３は、Ｔｘリーク除去を含むワイヤレスデバイス３０２の１つの構成を示すブロック図である。ワイヤレスデバイス３０２は、アンテナ３０４と、トランシーバ３０６とを含み得る。図３におけるトランシーバ３０６は、図１と関連付けて説明されたトランシーバ１０６の一例とすることができる。
【００５６】
[0062]トランシーバ３０６は、Ｔｘリーク低減器３０８を含み得る。Ｔｘリーク低減器３０８は、加算器３１０と、重み学習モジュール３２０と、Ｔｘリーク推定器３２８とを含み得る。重み学習モジュール３２０は、乗算器３６６ａ〜ｄと、加算器３６８ａ〜ｂと、ナローパスフィルタ３７０ａ〜ｂとを含み得る。Ｔｘリーク推定器３２８は、乗算器３７２ａ〜ｄと、加算器３７４ａ〜ｂとを含み得る。
【００５７】
[0063]重み学習モジュール３２０およびＴｘリーク推定器３２８は、フィードバックループの一部であることができる。フィードバックループおよびベースバンドＴｘ信号３３６は、Ｉ成分と、Ｑ成分とに分離され得る。たとえば、ベースバンドＴｘ信号３３６は、ベースバンドＴｘ信号Ｔｘ＿Ｉ３３６ａと、ベースバンドＴｘ信号Ｔｘ＿Ｑ３３６ｂとに分離され得る。
【００５８】
[0064]トランシーバ３０６は、また、デュプレクサ３５０と、ダウンコンバータ３１８ａ〜ｂ、３５６と、アップコンバータ３３２ａ〜ｂ、３４０ａ〜ｂと、加算器３７６、３７８と、ベースバンドフィルタ３６０、３８０ａ〜ｂと、電力増幅器（ＰＡ）３４６とを含み得る。ダウンコンバータ３５６は、Ｒｘ局所発振器（ＬＯ）３３０によって駆動され得る。たとえば、増幅Ｒｘ信号３１６は、ベースバンドＲｘ信号３７９を生成するために、ダウンコンバータ３５６においてダウンコンバートされ得る。ベースバンドＲｘ信号３７９は、デジタル処理のために使用され得るフィルタリングされたベースバンドＲｘ信号３８１を生成するために、ベースバンドフィルタ３６０においてフィルタリングされ得る。
【００５９】
[0065]ダウンコンバータ３１８ａは、Ｔｘ局所発振器（ＬＯ）Ｉ３２６ａによって駆動され得、ダウンコンバータ３１８ｂは、Ｔｘ局所発振器（ＬＯ）Ｑ３２６ｂによって駆動され得る。アップコンバータ３３２ａ、３４０ａは、Ｔｘ局所発振器（ＬＯ）Ｉ３２６ａによって駆動され得、アップコンバータ３３２ｂ、３４０ｂは、Ｔｘ局所発振器（ＬＯ）Ｑ３２６ｂによって駆動され得る。加算器３７６、３７８は、Ｉ成分とＱ成分とを１つの信号に結合することができる。たとえば、加算器３７８は、アップコンバートされたベースバンドＴｘ信号Ｔｘ＿Ｉ３３６ａとアップコンバートされたベースバンドＴｘ信号Ｔｘ＿Ｑ３３６ｂとを結合することができる。加算器３７８から出力された結合された信号（たとえば、Ｔｘ信号３４８）は、電力増幅器（ＰＡ）３４６によって増幅され、アンテナ３０４から送信され得る。たとえば、Ｔｘ信号３４８は、ブロードキャストＴｘ信号３７５として送信され得る。いくつかの構成では、Ｔｘ信号３４８は、Ｔｘリーク３７３の形態でＲｘ信号３１２内に漏れることがある。
【００６０】
[0066]ワイヤレスデバイス３０２は、アンテナ３０４において所望Ｒｘ信号３７７を受信することができる。所望Ｒｘ信号３７７は、Ｒｘ信号３１２を獲得するために、デュプレクサ３５０によって分離され得る。先に説明されたように、デュプレクサ３５０は、所望Ｒｘ信号３７７の周波数を分離し、望まれない信号周波数を除去することができる。信号および／または帯域が複数である場合、複数のデュプレクサ３５０が、利用され得る。
【００６１】
[0067]Ｒｘ信号３１２は、Ｔｘリーク低減器３０８によって処理され得る。Ｔｘリーク低減器３０８は、最初に、推定Ｔｘリーク信号３３４を減算するために、Ｒｘ信号３１２を推定Ｔｘリーク信号３３４と加算することができる。加算器３１０の出力は、増幅Ｒｘ信号３１６を獲得するために、低雑音増幅器（ＬＮＡ）３１４によって増幅され得る。
【００６２】
[0068]増幅Ｒｘ信号３１６は、ダウンコンバートされ得る。たとえば、増幅Ｒｘ信号３１６は、フィードバックＩ信号３２２ａを生成するために、Ｔｘ局所発振器（ＬＯ）Ｉ３２６ａを使用して、ダウンコンバータ３１８ａにおいてダウンコンバートされ得る。増幅Ｒｘ信号３１６は、フィードバックＱ信号３２２ｂを生成するために、Ｔｘ局所発振器（ＬＯ）Ｑ３２６ｂを使用して、ダウンコンバータ３１８ｂにおいてもダウンコンバートされ得る。
【００６３】
[0069]フィードバックＩ信号３２２ａおよびフィードバックＱ信号３２２ｂは、重み学習モジュール３２０に提供され得る。フィードバックＩ信号３２２ａおよびフィードバックＱ信号３２２ｂは、依然として、Ｔｘリーク３７３ばかりでなく、所望Ｒｘ信号３７７も含み得る。重み学習モジュール３２０は、乗算器３６６ａ〜ｄおよび加算器３６８ａ〜ｂを使用して、複素乗算を実行することができる。フィードバックＩ信号３２２ａは、第１の乗算器３６６ａを使用して、ベースバンドＴｘ信号Ｔｘ＿Ｉ３３６ａと乗算され得る。フィードバックＩ信号３２２ａは、第２の乗算器３６６ｂを使用して、ベースバンドＴｘ信号Ｔｘ＿Ｑ３３６ｂと乗算され得る。フィードバックＱ信号３２２ｂは、第３の乗算器３６６ｃを使用して、ベースバンドＴｘ信号Ｔｘ＿Ｑ３３６ｂと乗算され得る。フィードバックＱ信号３２２ｂは、第４の乗算器３６６ｄを使用して、ベースバンドＴｘ信号Ｔｘ＿Ｉ３３６ａと乗算され得る。第３の乗算器３６６ｃの出力は、第１の加算器３６８ａを使用して、第１の乗算器３６６ａの出力と交差結合され、結合され得る。第２の乗算器３６６ｂの出力は、第２の加算器３６８ｂを使用して、第４の乗算器３６６ｄの出力と交差結合され、結合され得る。
【００６４】
[0070]重み学習モジュール３２０は、加算器３６８ａ〜ｂからの出力信号に、それぞれ、ナローパスフィルタ３７０ａ〜ｂを適用することもできる。ナローパスフィルタ３７０ａ〜ｂは、フィードバック信号３２２とＴｘベースバンド信号３３６との間の複素相関係数（たとえば、重み３２４）を生成することができる。フィードバック信号３２２とＴｘベースバンド信号３３６との複素乗算は、これら２つの信号の相関部分に起因する直流（ＤＣ）信号と、これら２つの信号の無相関部分に起因する交流（ＡＣ）信号とを生成することができる。ナローパスフィルタ３７０ａ〜ｂによって保存される直流（ＤＣ）信号は、Ｔｘリークの大きさおよび位相についての情報を示すことができる。（所望Ｒｘ信号３７７など）ベースバンドＴｘ信号３３６と相関性のない他のすべての信号についての情報を搬送する交流（ＡＣ）信号は、ゼロに抑制され得る。
【００６５】
[0071]重み３２４は、Ｔｘリーク推定器３２８に提供され得る。重み３２４は、複素領域において、ベースバンドＴｘ信号３３６と乗算され、次いで、Ｔｘリークのスケーリングされた推定を生成するために、アップコンバートされ得る。Ｔｘリーク推定器３２８は、ベースバンドＴｘ信号３３６と重み３２４との複素乗算を実行するために、乗算器３７２ａ〜ｄおよび加算器３７４ａ〜ｂを利用することができる。加算器３７４ａ〜ｂの出力は、推定Ｔｘリーク信号３３４を形成するために、アップコンバータ３３２ａ〜ｂによってアップコンバートされ得る。Ｔｘリーク低減器３０８は、所望Ｒｘ信号３７７を獲得するために、Ｒｘ信号３１２からＴｘリーク３７３を除去するために、Ｒｘ信号３１２から推定Ｔｘリーク信号３３４を減算することができる。
【００６６】
[0072]ベースバンドＴｘ信号３３６は、同相成分（すなわち、ベースバンドＴｘ信号Ｔｘ＿Ｉ３３６ａ）および直交成分（すなわち、ベースバンドＴｘ信号Ｔｘ＿Ｑ３３６ｂ）を含み得る。ベースバンドＴｘ信号３３６は、複素領域では、ＴｘＢＢ＝Ｔｘ＿Ｉ＋ｊ＊Ｔｘ＿Ｑと書き表され得、ここで、ｊは、虚数単位（ｊ2＝−１）である。乗算器３４０ａ〜ｂおよび加算器３７８は、ベースバンドＴｘ信号３３６をＴｘ  ＬＯ周波数にアップコンバートすることができる。Ｔｘ  ＬＯ  Ｉ信号３４１ａは、ｃｏｓ（ω＊ｔ）に等しく、Ｔｘ  ＬＯ  Ｑ信号３４１ｂは、ｓｉｎ（ω＊ｔ）に等しいことが仮定され得る。Ｔｘ  ＬＯ信号３４１は、複素領域において、ＬＯ＝ｃｏｓ（ω＊ｔ）＋ｊｓｉｎ（ω＊ｔ）＝ｅ(j*ω*t)と書き表され得、ここで、ωは、Ｔｘ  ＬＯ周波数であり、ｔは、時間である。加算器３７８の出力における信号が、式（１）に記述されている。
【数１】
0006033983.tif 000002
【００６７】
[0073]式（１）は、実信号（すなわち、実領域におけるもの）である。係数の２は、さらなる導出を短くするために使用される。式（１）は、式（２）のオイラの公式を使用することによって、複素信号ＴｘＢＢおよびＬＯに関して書き直され得る。
【数２】
0006033983.tif 000003
【００６８】
[0074]式（２）において、上線は、複素共役を示す。電力増幅器３４６による増幅の後、Ｔｘ信号３４８の一部は、デュプレクサ３５０を通して、受信機入力に結合され、次いで、低雑音増幅器（ＬＮＡ）３１４によって増幅される。加算器３７８の出力から低雑音増幅器（ＬＮＡ）３１４の出力までのＴｘ信号の合計ゲインは、Ｇ＿Ｔｘと呼ばれることがあり、それは、式（３）に従って定義される。
【数３】
0006033983.tif 000004
【００６９】
[0075]式（３）において、｜Ｇ＿Ｔｘ｜は、Ｔｘリークゲインの大きさであり、φは、Ｔｘリークゲインの位相であり、Ｇ＿Ｔｘ＿Ｉは、Ｔｘリークゲインの実部であり、Ｇ＿Ｔｘ＿Ｑは、Ｔｘリークゲインの虚部である。低雑音増幅器（ＬＮＡ）３１４の出力におけるＴｘリークは、式（４）を使用して記述される。
【数４】
0006033983.tif 000005
【００７０】
[0076]低雑音増幅器（ＬＮＡ）３１４の出力における合成信号は、増幅された所望Ｒｘ信号３７７も含む。簡潔にするために、所望Ｒｘ信号３７７は、Ｔｘ信号３４８と同じ周波数にあることが仮定される。その場合、低雑音増幅器（ＬＮＡ）３１４の出力における所望Ｒｘ信号３７７は、式（５）を使用して記述され得る。
【数５】
0006033983.tif 000006
【００７１】
[0077]式（５）において、ＲｘＢＢは、（ＲｘＢＢ＝Ｒｘ＿Ｉ＋ｊ＊Ｒｘ＿Ｑと定義される）所望Ｒｘ信号３７７のベースバンド信号である。また、式（５）において、Ｇ＿Ｒｘは、（Ｇ＿Ｒｘ＝Ｇ＿Ｒｘ＿Ｉ＋ｊ＊Ｇ＿Ｒｘ＿Ｑと定義される）ベースバンドから低雑音増幅器（ＬＮＡ）３１４の出力までの所望Ｒｘ信号の合計ゲインである。したがって、低雑音増幅器（ＬＮＡ）３１４の出力における合成信号は、式（６）を使用して定義される。
【数６】
0006033983.tif 000007
【００７２】
[0078]ダウンコンバータ３１８ａ〜ｂは、合成信号Ｃを複素Ｔｘ  ＬＯ信号によって乗算して、式（７）のフィードバック信号Ｆをもたらすことができる。
【数７】
0006033983.tif 000008
【００７３】
[0079]式（７）において、
【数８】
0006033983.tif 000009
【００７４】
であることが考慮される。式（７）によれば、フィードバック信号は、ＬＯ2＝ｅ(-j*2*ω*t)に起因する第２高調波応答と、ベースバンド応答
【数９】
0006033983.tif 000010
【００７５】
とを含む。ダウンコンバータの第２高調波応答は、一般に、（図３に示されていない）ローパスフィルタによって減衰され、式（８）に示されるようにベースバンド応答のみを残す。
【数１０】
0006033983.tif 000011
【００７６】
[0080]重み学習モジュール３２０の乗算器３６６ａ〜ｄおよび加算器３６８ａ〜ｂは、式（９）に記述される、フィードバック信号Ｆ（すなわち、Ｆ＿Ｉ３２２ａおよびＦ＿Ｑ３２２ｂ）の複素共役とベースバンドＴｘ信号ＴｘＢＢ３３６との複素乗算を実行することができる。
【数１１】
0006033983.tif 000012
【００７７】
[0081]式（９）の実部Ｆ＿Ｉ＊Ｔｘ＿Ｉ＋Ｆ＿Ｑ＊Ｔｘ＿Ｑは、乗算器３６６ａ、３６６ｃおよび加算器３６８ａによって計算され得る。式（９）の虚部Ｆ＿Ｉ＊Ｔｘ＿Ｑ−Ｆ＿Ｑ＊Ｔｘ＿Ｉは、乗算器３６６ｂ、３６６ｄおよび加算器３６８ｂによって計算され得る。
【数１２】
0006033983.tif 000013
【００７８】
であることを考慮すると、複素乗算
【数１３】
0006033983.tif 000014
【００７９】
の結果は、式（１０）である。
【数１４】
0006033983.tif 000015
【００８０】
[0082]ナローパスフィルタ３７０ａ〜ｂは、式（１１）の複素重み３２４を獲得するために、
【数１５】
0006033983.tif 000016
【００８１】
の時間平均化および増幅を実行することができる。
【数１６】
0006033983.tif 000017
【００８２】
[0083]式（１１）において、Ｇ＿Ｆｉｌｔは、ナローパスフィルタ３７０ａ〜ｂの実ゲインであり、＜｜ＴｘＢＢ｜2＞は、（分散と呼ばれる）ベースバンドＴｘ信号３３６の電力であり、
【数１７】
0006033983.tif 000018
【００８３】
は、ベースバンドＲｘ信号とベースバンドＴｘ信号３３６との間の複素相関係数である。ベースバンドＲｘ信号とベースバンドＴｘ信号３３６とは、相関性がないので、
【数１８】
0006033983.tif 000019
【００８４】
であり、したがって、重み３２４は、Ｗ＝Ｇ＿Ｆｉｌｔ＊（＜｜ＴｘＢＢ｜2＞＊Ｇ＿Ｔｘ＝Ｗ＿Ｉ＋ｊ＊Ｗ＿Ｑと定義され得る。重みＷ＿Ｉ３２４ａは、Ｗ＿Ｉ＝Ｇ＿Ｆｉｌｔ＊＜｜ＴｘＢＢ｜2＞＊Ｇ＿Ｉと定義される。重みＷ＿Ｑ３２４ｂは、Ｗ＿Ｑ＝Ｇ＿Ｆｉｌｔ＊＜｜ＴｘＢＢ｜2＞＊Ｇ＿Ｑと定義される。学習された重みＷは、所望Ｒｘ信号３７７のいかなる情報も含まない。
【００８５】
[0084]乗算器３７２ａ〜ｄおよび加算器３７４ａ〜ｂは、式（１２）に記述されるように、学習された重みＷの複素共役とベースバンドＴｘ信号ＴｘＢＢ３３６の複素乗算を実行することができる。
【数１９】
0006033983.tif 000020
【００８６】
[0085]この複素乗算の実部Ｗ＿Ｉ＊Ｔｘ＿Ｉ＋Ｗ＿Ｑ＊Ｔｘ＿Ｑは、乗算器３７２ａ、３７２ｃおよび加算器３７４ａによって計算され得る。この複素乗算の虚部Ｗ＿Ｉ＊Ｔｘ＿Ｑ＋Ｗ＿Ｑ＊Ｔｘ＿Ｉは、乗算器３７２ｂ、３７２ｄおよび加算器３７４ｂによって計算され得る。Ｗ＝Ｇ＿Ｆｉｌｔ＊（＜｜ＴｘＢＢ｜2＞＊Ｇ＿Ｔｘであることを考慮すると、式（１２）は、式（１３）として書き直され得る。
【数２０】
0006033983.tif 000021
【００８７】
[0086]乗算器３３２ａ〜ｂおよび加算器３７６は、式（１４）に記述されるＴｘリークの推定値を生成する、信号
【数２１】
0006033983.tif 000022
【００８８】
のＴｘ  ＬＯ周波数へのアップコンバージョンを実行する。
【数２２】
0006033983.tif 000023
【００８９】
[0087]式（１４）によれば、Ｔｘリーク推定器３２８によって生成されたＴｘリーク推定値ＴｘＬＥは、低雑音増幅器（ＬＮＡ）３１４の出力におけるＴｘリークＴｘＬの実係数Ｇ＿Ｆｉｌｔ＊＜｜ＴｘＢＢ｜2＞倍に等しい（すなわち、ＴｘＬＥは、ＴｘＬと同じ位相を有するが、異なる大きさを有する）。Ｔｘリーク推定値ＴｘＬＥは、ベースバンドＲｘ信号ＲｘＢＢとベースバンドＴｘ信号３３６との間のゼロ相関が原因で、所望Ｒｘ信号３７７のいかなる部分も含まない。
【００９０】
[0088]Ｔｘリークの減衰が、低雑音増幅器（ＬＮＡ）３１４の周りの負のフィードバックが原因で発生する。ＴｘＬ＿Ｉｎは、デュプレクサ３５０から加算器３１０の入力に渡されるＴｘリーク３７３として定義され得る。加算器３１０は、入力ＴｘリークＴｘＬ＿Ｉｎから推定Ｔｘリーク信号ＴｘＬＥ３３４を減算することができる。したがって、信号ＴｘＬ＿Ｉｎ−ＴｘＬＥが、（所望Ｒｘ信号３７７とともに）低雑音増幅器（ＬＮＡ）３１４の入力に印加される。低雑音増幅器（ＬＮＡ）３１４のゲインが、Ｇ＿ＬＮＡに等しい場合、低雑音増幅器（ＬＮＡ）３１４の出力におけるＴｘリークは、Ｇ＿ＬＮＡ＊（ＴｘＬ＿Ｉｎ−ＴｘＬＥ）に等しい。上記の式（４）において記述されているように、低雑音増幅器（ＬＮＡ）３１４の出力におけるＴｘリークは、ＴｘＬと定義される。したがって、式（１５）が、導出され得る。
【数２３】
0006033983.tif 000024
【００９１】
[0089]式（１４）のＴｘＬＥ＝Ｇ＿Ｆｉｌｔ＊＜｜ＴｘＢＢ｜2＞＊ＴｘＬを式（１５）に代入することが、式（１６）をもたらす。
【数２４】
0006033983.tif 000025
【００９２】
[0090]式（１６）の分子Ｇ＿ＬＮＡ＊ＴｘＬ＿Ｉｎは、単に入力Ｔｘリークの低雑音増幅器（ＬＮＡ）３１４のゲイン倍である、負のフィードバックを伴わない低雑音増幅器（ＬＮＡ）３１４の出力におけるＴｘリークを示している。式（１６）の分母１＋Ｇ＿ＬＮＡ＊Ｇ＿Ｆｉｌｔ＊＜｜ＴｘＢＢ｜2＞は、負のフィードバックに起因するＴｘリークの減衰係数を示している。値Ｇ＿ＬＮＡ＊Ｇ＿Ｆｉｌｔ＊＜｜ＴｘＢＢ｜2＞は、負のフィードバックのオープンループゲインである。
【００９３】
[0091]Ｔｘリーク推定器３２８は、直流（ＤＣ）信号（たとえば、重み３２４ａ〜ｂ）をベースバンドＴｘ信号Ｔｘ＿Ｉ３３６ａおよびベースバンドＴｘ信号Ｔｘ＿Ｑ３３６ｂに印加するので、推定Ｔｘリーク信号３３４は、いかなる所望Ｒｘ信号３７７も有さない。したがって、推定Ｔｘリーク信号３３４が、Ｔｘリーク低減器３０８においてＲｘ信号３１２から減算される場合、所望Ｒｘ信号３７７は、少しも除去または減衰されない。したがって、所望Ｒｘ信号３７７は、Ｔｘリーク低減器３０８によって悪化させられない。これは、Ｔｘリーク３７３のみが、Ｒｘ信号３１２から除去され、所望Ｒｘ信号３７７のみを残すことを可能にする。さらに、ベースバンドＲｘ信号とベースバンドＴｘ信号３３６とのゼロ相関に基づいた、重み学習モジュール３２０による所望Ｒｘ信号３７７の除去は、Ｒｘ周波数信号とＴｘ周波数信号が、互いに非常に近いことを可能にし、または重なり合うことさえ可能にする。したがって、本明細書で説明されるシステムおよび方法によれば、無視可能なレベルのＴｘリーク３７３しか伴わない、強い所望Ｒｘ信号３７７を依然として維持しながら、Ｒｘ周波数帯域とＴｘ周波数帯域は、互いに隣接することができ、または互いに重なり合うことさえできる。
【００９４】
[0092]デュプレクサ３５０は、表面弾性波（ＳＡＷ）フィルタ、バルク弾性波（ＢＡＷ）フィルタ、セラミックフィルタ、ＬＣ（インダクタ−キャパシタ）フィルタ、伝送線路フィルタ、または他のフィルタを使用して実施され得る。デュプレクサ３５０は、ハイブリッド変成器など、サーキュレータまたは他の分離構造も使用することができる。加算器３１０は、単純な結線、カプラ、または他の知られた技法を使用して実施され得る。加算器３１０は、デュプレクサ３５０の一部とすることもできる。言い換えれば、デュプレクサ３５０は、Ｔｘ経路とＲｘ経路との間の分離の機能を、低雑音増幅器（ＬＮＡ）３１４の入力に提供される信号から推定Ｔｘリーク信号３３４を減算する機能と組み合わせることができる。
【００９５】
[0093]図４は、Ｔｘリーク除去を含むワイヤレスデバイス４０２の別の構成を示すブロック図である。ワイヤレスデバイス４０２は、アンテナ４０４と、トランシーバ４０６とを含み得る。図４におけるトランシーバ４０６は、図１と関連付けて説明されたトランシーバ１０６の一例とすることができる。
【００９６】
[0094]トランシーバ４０６は、Ｔｘリーク低減器４０８と、重み学習モジュール４２０と、Ｔｘリーク推定器４２８とを含み得る。Ｔｘリーク低減器４０８は、加算器４１０と、低雑音増幅器（ＬＮＡ）４１４とを含み得る。重み学習モジュール４２０は、乗算器４６６ａ〜ｄと、加算器４６８ａ〜ｂと、ナローパスフィルタ４７０ａ〜ｂとを含み得る。Ｔｘリーク推定器４２８は、乗算器４７２ａ〜ｄと、加算器４７４ａ〜ｂとを含み得る。
【００９７】
[0095]重み学習モジュール４２０およびＴｘリーク推定器４２８は、フィードバックループの一部であることができる。フィードバックループおよびベースバンドＴｘ信号４３６は、Ｉ成分と、Ｑ成分とに分離され得る。たとえば、ベースバンドＴｘ信号４３６は、ベースバンドＴｘ信号Ｉ４３６ａと、ベースバンドＴｘ信号Ｑ４３６ｂとに分離され得る。簡潔にするために、フィードバックループおよびベースバンドＴｘ信号４３６に関して、Ｉ成分のみが、説明される。Ｑ成分についても、対応する特徴および処理が同様に実行され得ることを諒解されたい。
【００９８】
[0096]トランシーバ４０６は、また、デュプレクサ４５０と、ダウンコンバータ４１８ａ〜ｂ、４５６と、アップコンバータ４３２ａ〜ｂ、４４０ａ〜ｂと、加算器４７６、４７８と、ベースバンドフィルタ４６０、４８０ａ〜ｂと、ローパスフィルタ４４２ａ〜ｂと、電力増幅器（ＰＡ）４４６と、駆動増幅器（ＤＡ）４３８とを含み得る。ダウンコンバータ４５６は、Ｒｘ局所発振器（ＬＯ）４３０によって駆動され得る。たとえば、増幅Ｒｘ信号４１６は、ベースバンドＲｘ信号４７９を生成するために、ダウンコンバータ４５６においてダウンコンバートされ得る。ベースバンドＲｘ信号４７９は、デジタル処理のために使用され得るフィルタリングされたベースバンドＲｘ信号４８１を生成するために、ベースバンドフィルタ４６０においてフィルタリングされ得る。
【００９９】
[0097]ダウンコンバータ４１８ａは、Ｔｘ局所発振器（ＬＯ）Ｉ４２６ａによって駆動され得、ダウンコンバータ４１８ｂは、Ｔｘ局所発振器（ＬＯ）Ｑ４２６ｂによって駆動され得る。アップコンバータ４３２ａ、４４０ａも、Ｔｘ局所発振器（ＬＯ）Ｉ４２６ａによって駆動され得、アップコンバータ４３２ｂ、４４０ｂも、Ｔｘ局所発振器（ＬＯ）Ｑ４２６ｂによって駆動され得る。加算器４７６、４７８は、Ｉ成分とＱ成分とを１つの信号に結合することができる。たとえば、加算器４７６の出力は、推定Ｔｘリーク信号４３４とすることができる。
【０１００】
[0098]ワイヤレスデバイス４０２は、アンテナ４０４において所望Ｒｘ信号４７７を受信することができる。所望Ｒｘ信号４７７は、Ｒｘ信号４１２を獲得するために、デュプレクサ４５０によってフィルタリング／分離され得る。言い換えれば、デュプレクサ４５０は、送信のために同時にＴｘ信号４４８を処理しながら、Ｒｘ信号４１２を出力することができる。Ｔｘ信号４４８は、アンテナ４０４において、ブロードキャストＴｘ信号４７５として送信され得る。いくつかの構成では、Ｔｘ信号４４８は、Ｔｘリーク４７３の形態でＲｘ信号４１２内に漏れることがある。
【０１０１】
[0099]Ｒｘ信号４１２は、Ｔｘリーク低減器４０８によって処理され得る。Ｔｘリーク低減器４０８は、最初に、低雑音増幅器（ＬＮＡ）４１４を使用して、Ｒｘ信号４１２を増幅することができる。低雑音増幅器（ＬＮＡ）４１４の出力は、次いで、Ｒｘ信号４１２から推定Ｔｘリーク信号４３４を除去するために、加算器４１０において加算され得る。Ｔｘリーク低減器４０８は、増幅Ｒｘ信号４１６を出力することができる。
【０１０２】
[00100]増幅Ｒｘ信号４１６は、ダウンコンバートされ得る。たとえば、増幅Ｒｘ信号４１６は、フィードバックＩ信号４２２ａを生成するために、Ｔｘ局所発振器（ＬＯ）Ｉ４２６ａを使用して、ダウンコンバータ４１８ａにおいてダウンコンバートされ得る。増幅Ｒｘ信号４１６は、フィードバックＱ信号４２２ｂを生成するために、Ｔｘ局所発振器（ＬＯ）Ｑ４２６ｂを使用して、ダウンコンバータ４１８ｂにおいてもダウンコンバートされ得る。
【０１０３】
[00101]フィードバックＩ信号４２２ａおよびフィードバックＱ信号４２２ｂは、重み学習モジュール４２０に提供され得る。フィードバックＩ信号４２２ａおよびフィードバックＱ信号４２２ｂは、依然として、Ｔｘリーク４７３ばかりでなく、所望Ｒｘ信号４７７も含み得る。重み学習モジュール４２０は、乗算器４６６ａ〜ｄおよび加算器４６８ａ〜ｂを使用して、複素乗算を実行することができる。フィードバックＩ信号４２２ａは、第１の乗算器４６６ａを使用して、ベースバンドＴｘ信号Ｉ４３６ａと乗算され得る。フィードバックＩ信号４２２ａは、第２の乗算器４６６ｂを使用して、ベースバンドＴｘ信号Ｑ４３６ｂと乗算され得る。フィードバックＱ信号４２２ｂは、第３の乗算器４６６ｃを使用して、ベースバンドＴｘ信号Ｑ４３６ｂと乗算され得る。フィードバックＱ信号４２２ｂは、第４の乗算器４６６ｄを使用して、ベースバンドＴｘ信号Ｉ４３６ａと乗算され得る。第３の乗算器４６６ｃの出力は、第１の加算器４６８ａを使用して、第１の乗算器４６６ａの出力と交差結合され、結合され得る。第２の乗算器４６６ｂの出力は、第２の加算器４６８ｂを使用して、第４の乗算器４６６ｄの出力と交差結合され、結合され得る。
【０１０４】
[00102]重み学習モジュール４２０は、加算器４６８ａ〜ｂからの出力信号に、それぞれ、ナローパスフィルタ４７０ａ〜ｂを適用することもできる。ナローパスフィルタ４７０ａ〜ｂは、フィードバック信号４２２とＴｘベースバンド信号４３６との間の複素相関係数（たとえば、重み４２４）を生成することができる。フィードバック信号４２２とＴｘベースバンド信号４３６との複素乗算は、これら２つの信号の相関部分に起因する直流（ＤＣ）信号と、これら２つの信号の無相関部分に起因する交流（ＡＣ）信号とを生成することができる。ナローパスフィルタ４７０ａ〜ｂによって保存される直流（ＤＣ）信号は、Ｔｘリーク４７３の大きさおよび位相についての情報を示すことができる。
【０１０５】
（所望Ｒｘ信号４７７など）ベースバンドＴｘ信号４３６と相関性のない他のすべての信号についての情報を搬送する交流（ＡＣ）信号は、ゼロに抑制され得る。
【０１０６】
[00103]重み４２４は、Ｔｘリーク推定器４２８に提供され得る。重み４２４は、複素領域において、ベースバンドＴｘ信号４３６と乗算され、次いで、Ｔｘリーク４７３のスケーリングされた推定を生成するために、アップコンバートされ得る。Ｔｘリーク推定器４２８は、ベースバンドＴｘ信号４３６と重み４２４との複素乗算を実行するために、乗算器４７２ａ〜ｄおよび加算器４７４ａ〜ｂを利用することができる。加算器４７４ａ〜ｂの出力は、推定Ｔｘリーク信号ＴｘＬＥ４３４を形成するために、アップコンバータ４３２ａ〜ｂによってアップコンバートされ得る。Ｔｘリーク低減器４０８は、増幅Ｒｘ信号４１６からＴｘリーク４７３を除去し、それによって、所望Ｒｘ信号４７７のみを出力するために、増幅Ｒｘ信号４１６から推定Ｔｘリーク信号４３４を減算することができる。
【０１０７】
[00104]ベースバンドＴｘ信号４３６は、同相成分（すなわち、ベースバンドＴｘ信号Ｔｘ＿Ｉ４３６ａ）および直交成分（すなわち、ベースバンドＴｘ信号Ｔｘ＿Ｑ４３６ｂ）を含み得る。ベースバンドＴｘ信号４３６ａは、複素領域では、ＴｘＢＢ＝Ｔｘ＿Ｉ＋ｊ＊Ｔｘ＿Ｑと書き表され得る。乗算器４４０ａ〜ｂおよび加算器４７８は、ベースバンドＴｘ信号４３６をＴｘ  ＬＯ周波数にアップコンバートすることができる。Ｔｘ  ＬＯ  Ｉ信号４４１ａは、ｃｏｓ（ω＊ｔ）に等しく、Ｔｘ  ＬＯ  Ｑ信号４４１ｂは、ｓｉｎ（ω＊ｔ）に等しいことが仮定され得る。Ｔｘ  ＬＯ信号３４１は、複素領域において、ＬＯ＝ｃｏｓ（ω＊ｔ）＋ｊｓｉｎ（ω＊ｔ）＝ｅ(j*ω*t)と書き表され得、ここで、ωは、Ｔｘ  ＬＯ周波数であり、ｔは、時間である。
【０１０８】
[00105]Ｔｘリーク推定器４２８は、直流（ＤＣ）信号（たとえば、重み４２４ａ〜ｂ）をベースバンドＴｘ信号Ｉ４３６ａおよびベースバンドＴｘ信号Ｑ４３６ｂに印加するので、推定Ｔｘリーク信号４３４は、いかなる所望Ｒｘ信号４７７も有さない。したがって、推定Ｔｘリーク信号４３４が、Ｔｘリーク低減器４０８においてＲｘ信号４１２から減算される場合、所望Ｒｘ信号４７７は、少しも除去または減衰されない。したがって、所望Ｒｘ信号４７７は、Ｔｘリーク低減器４０８によって悪化させられない。これは、Ｔｘリーク４７３のみが、Ｒｘ信号４１２から除去され、所望Ｒｘ信号３７７のみを残すことを可能にする。さらに、ベースバンドＲｘ信号とベースバンドＴｘ信号４３６とのゼロ相関に基づいた、重み学習モジュール４２０による所望Ｒｘ信号の除去は、Ｒｘ周波数信号とＴｘ周波数信号が、互いに非常に近いことを可能にし、または重なり合うことさえ可能にする。したがって、本明細書で説明されるシステムおよび方法によれば、無視可能なレベルのＴｘリーク４７３しか伴わない、強い所望Ｒｘ信号４７７を依然として維持しながら、Ｒｘ周波数帯域とＴｘ周波数帯域は、互いに隣接することができ、または互いに重なり合うことさえできる。
【０１０９】
[00106]図５は、Ｔｘリーク除去を含むワイヤレスデバイス５０２のまた別の構成を示すブロック図である。ワイヤレスデバイス５０２は、アンテナ５０４と、トランシーバ５０６とを含み得る。アンテナ５０４は、所望Ｒｘ信号５７７を受信することができ、ブロードキャストＴｘ信号５７５を送信することができる。図５におけるトランシーバ５０６は、図１と関連付けて説明されたトランシーバ１０６の一例とすることができる。
【０１１０】
[00107]トランシーバ５０６は、Ｔｘリーク低減器５０８と、重み学習モジュール５２０と、Ｔｘリーク推定器５２８とを含み得る。Ｔｘリーク低減器５０８は、加算器５１０と、低雑音増幅器（ＬＮＡ）５１４とを含み得る。重み学習モジュール５２０は、乗算器５６６ａ〜ｄと、加算器５６８ａ〜と、ナローパスフィルタ５７０ａ〜ｂとを含み得る。Ｔｘリーク推定器５２８は、トランジスタ５９４ａ〜ｄ、９０度ハイブリッド５９０ａ〜ｃ、抵抗５９６、および電力結合器５７６などの、受動構成要素を含み得る。
【０１１１】
[00108]本明細書で使用される場合、受動要素は、追加の雑音を生成せず、ゼロ電流を引き込む要素である。トランジスタは、ゼロ電流を用いてバイアスされた場合、受動要素として機能し得ることを諒解されたい。
【０１１２】
[00109]重み学習モジュール５２０およびＴｘリーク推定器５２８は、フィードバックループの一部であることができる。ベースバンドＴｘ信号５３６は、Ｉ成分と、Ｑ成分とに分離され得る。たとえば、ベースバンドＴｘ信号５３６は、ベースバンドＴｘ信号Ｔｘ＿Ｉ５３６ａと、ベースバンドＴｘ信号Ｔｘ＿Ｑ５３６ｂとに分離され得る。
【０１１３】
[00110]いくつかの構成では、図５に示されるように、Ｔｘリーク推定器５２８は、受動要素のみを含み得る。Ｔｘリーク推定器５２８において、能動要素が使用される場合、望ましくない雑音が、フィードバックループに追加され、低雑音増幅器（ＬＮＡ）５１４の入力において、より高い雑音をもたらす。さらに、Ｔｘリーク推定器５２８において雑音を生み出すことに加えて、能動要素は、電力を消費する。能動要素の数を減らし、それらを受動要素で置き換えることによって、電力が、節約される。
【０１１４】
[00111]トランシーバ５０６は、また、デュプレクサ５５０と、ダウンコンバータ５１８ａ〜ｂと、アップコンバータ５４０ａ〜ｂと、加算器５７８と、電力結合器５７６と、ベースバンドフィルタ５８０ａ〜ｂと、電力増幅器（ＰＡ）５４６と、駆動増幅器（ＤＡ）５３８とを含み得る。ダウンコンバータ５１８ａは、Ｔｘ局所発振器（ＬＯ）Ｉ５２６ａによって駆動され得、ダウンコンバータ５１８ｂは、Ｔｘ局所発振器（ＬＯ）Ｑ５２６ｂによって駆動され得る。アップコンバータ５４０ａも、Ｔｘ局所発振器（ＬＯ）Ｉ５２６ａによって駆動され得、アップコンバータ５４０ｂも、Ｔｘ局所発振器（ＬＯ）Ｑ５２６ｂによって駆動され得る。加算器５７８および電力結合器５７６は、Ｉ成分とＱ成分とを１つの信号に結合することができる。たとえば、電力結合器５７６の出力は、推定Ｔｘリーク信号ＴｘＬＥ５３４とすることができる。
【０１１５】
[00112]ワイヤレスデバイス５０２は、アンテナ５０４において所望Ｒｘ信号５７７を受信することができる。所望Ｒｘ信号５７７は、Ｒｘ信号５１２を獲得するために、デュプレクサ５５０によってフィルタリング／分離され得る。言い換えれば、デュプレクサ５５０は、送信のために同時にＴｘ信号５４８を処理しながら、Ｒｘ信号５１２を出力することができる。Ｔｘ信号５４８は、アンテナ５０４において、ブロードキャストＴｘ信号５７５として送信され得る。いくつかの構成では、Ｔｘ信号５４８は、Ｔｘリーク５７３の形態でＲｘ信号５１２内に漏れることがある。先に説明されたように、デュプレクサ５５０は、所望Ｒｘ信号５７７の周波数を分離し、望まれない信号周波数を除去することができる。信号および／または帯域が複数である場合、複数のデュプレクサ５５０が、利用され得る。
【０１１６】
[00113]Ｒｘ信号５１２は、Ｔｘリーク低減器５０８によって処理され得る。Ｔｘリーク低減器５０８は、最初に、推定Ｔｘリーク信号ＴｘＬＥ５３４を減算するために、Ｒｘ信号５１２を推定Ｔｘリーク信号ＴｘＬＥ５３４と加算することができる。加算器５１０の出力は、増幅Ｒｘ信号５１６を獲得するために、低雑音増幅器（ＬＮＡ）５１４によって増幅され得る。
【０１１７】
[00114]増幅Ｒｘ信号５１６は、ダウンコンバートされ得る。たとえば、増幅Ｒｘ信号５１６は、フィードバックＩ信号５２２ａを生成するために、Ｔｘ局所発振器（ＬＯ）Ｉ５２６ａを使用して、ダウンコンバータ５１８ａにおいてダウンコンバートされ得る。増幅Ｒｘ信号５１６は、フィードバックＱ信号５２２ｂを生成するために、Ｔｘ局所発振器（ＬＯ）Ｑ５２６ｂを使用して、ダウンコンバータ５１８ｂにおいてもダウンコンバートされ得る。
【０１１８】
[00115]フィードバックＩ信号５２２ａおよびフィードバックＱ信号５２２ｂは、重み学習モジュール５２０に提供され得る。フィードバックＩ信号５２２ａおよびフィードバックＱ信号５２２ｂは、依然として、Ｔｘリーク５７３ばかりでなく、所望Ｒｘ信号５７７も含み得る。重み学習モジュール５２０は、乗算器５６６ａ〜ｄおよび加算器５６８ａ〜ｂを使用して、複素乗算を実行することができる。フィードバックＩ信号５２２ａは、第１の乗算器５６６ａを使用して、ベースバンドＴｘ信号Ｔｘ＿Ｉ５３６ａと乗算され得る。フィードバックＩ信号５２２ａは、第２の乗算器５６６ｂを使用して、ベースバンドＴｘ信号Ｔｘ＿Ｑ５３６ｂと乗算され得る。フィードバックＱ信号５２２ｂは、第３の乗算器５６６ｃを使用して、ベースバンドＴｘ信号Ｔｘ＿Ｑ５３６ｂと乗算され得る。フィードバックＱ信号５２２ｂは、第４の乗算器５６６ｄを使用して、ベースバンドＴｘ信号Ｔｘ＿Ｉ５３６ａと乗算され得る。第３の乗算器５６６ｃの出力は、第１の加算器５６８ａを使用して、第１の乗算器５６６ａの出力と交差結合され、結合され得る。第２の乗算器５６６ｂの出力は、第２の加算器５６８ｂを使用して、第４の乗算器５６６ｄの出力と交差結合され、結合され得る。
【０１１９】
[00116]重み学習モジュール５２０は、加算器５６８ａ〜ｂからの出力信号に、それぞれ、ナローパスフィルタ５７０ａ〜ｂを適用することもできる。ナローパスフィルタ５７０ａ〜ｂは、フィードバック信号５２２とＴｘベースバンド信号５３６との間の複素相関係数（たとえば、重み５２４）を生成することができる。フィードバック信号５２２とＴｘベースバンド信号５３６との複素乗算は、これら２つの信号の相関部分に起因する直流（ＤＣ）信号と、これら２つの信号の無相関部分に起因する交流（ＡＣ）信号とを生成することができる。ナローパスフィルタ５７０ａ〜ｂによって保存される直流（ＤＣ）信号は、Ｔｘリークの大きさおよび位相についての情報を示すことができる。（所望Ｒｘ信号５７７など）ベースバンドＴｘ信号５３６と相関性のない他のすべての信号についての情報を搬送する交流（ＡＣ）信号は、ゼロに抑制され得る。
【０１２０】
[00117]Ｔｘリーク推定器５２８は、重みＷ＿Ｉ５２４ａと、重みＷ＿Ｑ５２４ｂと、（カプラ５４５を介してＴｘ信号５４８から獲得された）結合Ｔｘ信号５４７とを獲得することができる。Ｔｘ信号５４８は、ミキサ５４０ａ〜ｂにおいてベースバンドＴｘ信号５３６をアップコンバートし、加算器５７８においてそれらを結合することによって、生成され得る。加算器５７８の出力は、駆動増幅器（ＤＡ）５３８および電力増幅器（ＰＡ）５４６によって増幅され得る。Ｔｘ  ＬＯ周波数にアップコンバートされたＴｘ信号５４８を使用することによって、さらなるアップコンバージョンは、必要とされない（たとえば、Ｔｘリーク推定器５２８内に、追加のアップコンバータは、必要とされない。さらなるアップコンバージョンを回避することによって、推定Ｔｘリーク信号ＴｘＬＥ５３４を汚染する雑音は、より僅かしかフィードバックループ内に導入されない。
【０１２１】
[00118]電力増幅器（ＰＡ）５４６の出力におけるカプラ５４５は、Ｔｘ信号５４８の一部をＴｘリーク推定器５２８の参照入力に結合する。Ｔｘリーク推定器５２８は、結合Ｔｘ信号５４７を９０度ハイブリッド５９０ａに通すことができる。９０度ハイブリッド５９０ａは、結合Ｔｘ信号５４７を、同相（Ｉ）Ｔｘ信号（たとえば、０度）と、直交位相（Ｑ）Ｔｘ信号（たとえば、９０度）とに分割する。言い換えれば、９０度ハイブリッド５９０ａは、９０度受動位相スプリッタとすることができる。９０度ハイブリッド５９０ａは、ランゲカプラにおけるように、適切な接地抵抗終端（たとえば、抵抗５９６）を必要とする分離ポートを含み得る。９０度ハイブリッド５９０ａは、抵抗終端を必要としないことがある、ＲＣ回路、ＬＣ回路、または変成器としても実施され得る。本明細書で説明されるように、９０度ハイブリッド５９０ａ〜ｃは、ランゲカプラまたはそれらの集中ＬＣアナログとして実施されることが仮定される。しかしながら、他の可能な実施も、当業者に知られ得る。
【０１２２】
[00119]９０度ハイブリッド５９０ａの０度ポート（直接ポート）は、９０度ハイブリッド５９０ｃの入力ポートに結合され得る。９０度ハイブリッド５９０ａの９０度ポート（結合ポート）は、９０度ハイブリッド５９０ｂの入力ポートに結合され得る。９０度ハイブリッド５９０ｃの０度ポート（直接ポート）は、トランジスタ５９４ａのドレインに結合され得る。トランジスタ５９４ａのソースは、接地に結合され得る。トランジスタ５９４ａのゲートは、重みＷ＿Ｉ５２４ａに結合され得る。９０度ハイブリッド５９０ｃの９０度ポート（結合ポート）は、トランジスタ５９４ｂのドレインに結合され得る。トランジスタ５９４ｂのソースは、接地に結合され得る。トランジスタ５９４ｂのゲートは、重みＷ＿Ｉ５２４ａに結合され得る。９０度ハイブリッド５９０ｃの分離ポートは、出力ポートとして機能し、電力結合器５７６の入力の一方に接続される。
【０１２３】
[00120]９０度ハイブリッド５９０ｂの０度ポート（直接ポート）は、トランジスタ５９４ｃのドレインに結合され得る。トランジスタ５９４ｃのソースは、接地に結合され得る。トランジスタ５９４ｃのゲートは、重みＷ＿Ｑ５２４ｂに結合され得る。９０度ハイブリッド５９０ｂの９０度ポート（結合ポート）は、トランジスタ５９４ｄのドレインに結合され得る。トランジスタ５９４ｄのソースは、接地に結合され得る。トランジスタ５９４ｄのゲートは、重みＷ＿Ｑ５２４ｂに結合され得る。９０度ハイブリッド５９０ｂの分離ポートは、出力ポートとして機能し、電力結合器５７６の入力の一方に接続される。
【０１２４】
[00121]トランジスタ５９４ａ〜ｄは、ドレイン端子とソース端子との間に、ゲート電圧（すなわち、トランジスタ５９４ａ〜ｄのゲートに印加される重み５２４）の関数である抵抗を発生させる。したがって、重み５２４は、トランジスタ５９４の抵抗に影響し得、それは、次いで、９０度ハイブリッド５９０ｂ〜ｃの出力に影響する。ランゲカプラの性質が原因で、入力ポートが５０オームの信号ソースによって駆動され、直接ポートおよび結合ポートの抵抗終端も５０オームに等しい場合、いかなる信号も、分離ポート（出力）に送られない。これは、入力における信号に対して０のゲインを有する９０度ハイブリッド５９０と等価である。直接ポートおよび結合ポートの抵抗終端が５０オームよりも高い場合、９０度ハイブリッド５９０は、入力信号と同じ位相を有する分離ポート（出力）に入力信号を結合する。これは、正のゲインを有する９０度ハイブリッド５９０と等価である。
【０１２５】
[00122]ゲイン値は、直接ポート終端および結合ポート終端が５０オームをどれだけ上回るかに依存し、抵抗が高いほど、ゲインが高い。これらの終端が無限インピーダンスを有する場合、正の最大ゲインが達成される。直接ポートおよび結合ポートの抵抗終端が５０オームよりも低い場合、９０度ハイブリッド５９０は、入力信号に対して１８０度の位相差を有する分離ポート（出力）に入力信号を結合する。これは、負のゲインを有する９０度ハイブリッド５９０と等価である。ゲイン値は、直接ポート終端および結合ポート終端が５０オームをどれだけ下回るかに依存し、抵抗が低いほど、負のゲインの絶対値が高い。これらの終端がゼロインピーダンスを有する場合、負の最大ゲインが達成される。ランゲカプラのこれらの特性のおかげで、電圧制御されるトランジスタ５９４ａ〜ｄによってロードされる９０度ハイブリッド５９０ｂ〜ｃは、信号乗算器として動作し、すなわち、それらは、入力ポートに存在する信号を、トランジスタ５９４ａ〜ｄのゲートに存在する信号によって乗算し、結果が、分離ポートにおいて出力される。トランジスタ５９４ａ〜ｄは、ｎチャネル電界効果トランジスタ（ＦＥＴ）として実施され得る。これらのトランジスタ５９４の抵抗は、ゲート電圧が低下したときに増加し、上昇したときに減少する。可変抵抗トランジスタ５９４ａ〜ｄの他の実施も可能である。
【０１２６】
[00123]９０度ハイブリッド５９０ｂおよび９０度ハイブリッド５９０ｃの出力は、推定Ｔｘリーク信号ＴｘＬＥ５３４を生成するために、電力結合器５７６によって結合され得る。９０度ハイブリッド５９０ａ〜ｃ、可変抵抗トランジスタ５９４ａ〜ｄ、および電力結合器５７６の全体的な機能は、能動乗算器またはアップコンバータを使用することなく、重み５２４ａ〜ｂが、推定Ｔｘリーク信号ＴｘＬＥ５３４の位相および振幅を制御することを可能にする、反射型ベクトル変調器の機能に類似している。推定Ｔｘリーク信号ＴｘＬＥ５３４は、Ｔｘリーク低減器５０８に提供され得る。Ｔｘリーク低減器５０８は、（式１〜１６に関して上で説明されたように）所望Ｒｘ信号５７７を獲得するために、Ｒｘ信号５１２から推定Ｔｘリーク信号ＴｘＬＥ５３４を減算することができる。
【０１２７】
[00124]図６は、ワイヤレス通信デバイス６０３内に含まれ得るいくつかの構成要素を示している。ワイヤレス通信デバイス６０３は、アクセス端末、移動局、ユーザ機器（ＵＥ）などとすることができる。ワイヤレス通信デバイス６０３は、プロセッサ６２５を含む。プロセッサ６２５は、汎用シングルチップまたはマルチチップマイクロプロセッサ（たとえば、ＡＲＭ）、専用マイクロプロセッサ（たとえば、デジタル信号プロセッサ（ＤＳＰ））、マイクロコントローラ、プログラム可能ゲートアレイなどとすることができる。プロセッサ６２５は、中央処理装置（ＣＰＵ）と呼ばれることがある。図６のワイヤレス通信デバイス６０３内には、ただ１つのプロセッサ６２５が示されているが、代替構成では、プロセッサの組合せ（たとえば、ＡＲＭとＤＳＰ）が、使用され得る。
【０１２８】
[00125]ワイヤレス通信デバイス６０３はメモリ６２７をも含む。メモリ６２７は、電子情報を記憶することが可能な任意の電子構成要素とすることができる。メモリ６２７は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭ（登録商標）メモリ、レジスタなど、およびそれらの組合せとして実施され得る。
【０１２９】
[00126]データ６０７ａおよび命令６０９ａが、メモリ６２７内に記憶され得る。命令６０９ａは、本明細書で開示される方法を実施するために、プロセッサ６２５によって実行可能とすることができる。命令６０９ａの実行は、メモリ６２７内に記憶されたデータ６０７ａの使用を伴うことがある。プロセッサ６２５が命令６０９を実行する場合、命令６０９ｂの様々な部分が、プロセッサ６２５上にロードされ得、データ６０７ｂの様々な部分が、プロセッサ６２５上にロードされ得る。
【０１３０】
[00127]ワイヤレス通信デバイス６０３は、アンテナ６１７を介するワイヤレス通信デバイス６０３への信号の送信およびワイヤレス通信デバイス６０３からの信号の受信を可能にするために、送信機６１１および受信機６１３も含み得る。送信機６１１および受信機６１３は、一括して、トランシーバ６１５と呼ばれることがある。ワイヤレス通信デバイス６０３は、複数の送信機、複数のアンテナ、複数の受信機および／または複数のトランシーバ（図示せず）も含み得る。
【０１３１】
[00128]ワイヤレス通信デバイス６０３はデジタル信号プロセッサ（ＤＳＰ）６２１を含み得る。ワイヤレス通信デバイス６０３は、通信インターフェース６２３も含み得る。通信インターフェース６２３は、ユーザが、ワイヤレス通信デバイス６０３と対話することを可能にすることができる。
【０１３２】
[00129]ワイヤレス通信デバイス６０３の様々な構成要素は、電力バス、制御信号バス、ステータス信号バス、データバスなどを含み得る、１つまたは複数のバスによって互いに結合され得る。明瞭にするために、図６では、様々なバスは、バスシステム６１９として示されている。
【０１３３】
[00130]図７は、基地局７０１内に含まれ得るいくつかの構成要素を示している。基地局は、アクセスポイント、ブロードキャスト送信機、ノードＢ、進化型ノードＢなどと呼ばれることもあり、それらの機能の一部または全部を含み得る。基地局７０１は、プロセッサ７２５を含む。プロセッサ７２５は、汎用シングルチップまたはマルチチップマイクロプロセッサ（たとえば、ＡＲＭ）、専用マイクロプロセッサ（たとえば、デジタル信号プロセッサ（ＤＳＰ））、マイクロコントローラ、プログラム可能ゲートアレイなどとすることができる。プロセッサ７２５は、中央処理装置（ＣＰＵ）と呼ばれることがある。図７の基地局７０１内には、ただ１つのプロセッサ７２５が示されているが、代替構成では、プロセッサの組合せ（たとえば、ＡＲＭとＤＳＰ）が、使用され得る。
【０１３４】
[00131]基地局７０１は、メモリ７２７も含む。メモリ７２７は、電子情報を記憶することが可能な任意の電子構成要素とすることができる。メモリ７２７は、ランダムアクセスメモリ（ＲＡＭ）、リードオンリーメモリ（ＲＯＭ）、磁気ディスク記憶媒体、光記憶媒体、ＲＡＭ内のフラッシュメモリデバイス、プロセッサとともに含まれるオンボードメモリ、ＥＰＲＯＭメモリ、ＥＥＰＲＯＭメモリ、およびレジスタなどとして具体化され得、それらの組合せも含む。
【０１３５】
[00132]データ７０７ａおよび命令７０９ａがメモリ７２７に記憶され得る。命令７０９ａは、本明細書で開示する方法を実装するためにプロセッサ７２５によって実行可能であり得る。命令７０９ａを実行することは、メモリ７２７に記憶されたデータ７０７ａの使用を含み得る。プロセッサ７２５が命令７０９ａを実行すると、命令７０９ｂの様々な部分がプロセッサ７２５上にロードされ得、様々ないくつかのデータ７０７ｂがプロセッサ７２５上にロードされ得る。
【０１３６】
[00133]基地局７０１は、基地局７０１への信号の送信および基地局７０１からの信号の受信を可能にするために、送信機７１１および受信機７１３も含み得る。送信機７１１および受信機７１３は、一括して、トランシーバ７１５と呼ばれることがある。アンテナ７１７は、トランシーバ７１５に電気的に結合され得る。基地局７０１はまた、複数の送信機、複数の受信機、複数のトランシーバおよび／または複数のアンテナを含み得る（図示せず）。
【０１３７】
[00134]基地局７０１は、デジタル信号プロセッサ（ＤＳＰ）７２１を含み得る。基地局７０１は、通信インターフェース７２３も含み得る。通信インターフェース７２３は、ユーザが、基地局７０１と対話することを可能にすることができる。
【０１３８】
[00135]基地局７０１の様々な構成要素は、電力バス、制御信号バス、ステータス信号バス、データバスなどを含み得る、１つまたは複数のバスによって互いに結合され得る。明瞭にするために、図７では、様々なバスは、バスシステム７１９として示されている。
【０１３９】
[00136]上述の説明では、参照番号が、様々な用語と関連付けて時々使用された。用語が参照番号とともに使用されている場合、図の１つまたは複数に示された特定の要素を指すことが意図される。用語が参照番号を伴わずに使用されている場合、一般に、特定の図に限定されない用語を指すことが意図される。
【０１４０】
[00137]提案されるトランシーバ１０６のアーキテクチャは、ワイヤレス通信リンク、有線通信リンク、光通信リンクなどにおいて使用され得る。ワイヤレス通信システム（たとえば、多元接続システム）における通信は、ワイヤレスリンク上における送信を通して達成され得る。そのような通信リンクは、単入力単出力（ＳＩＳＯ）、多入力単出力（ＭＩＳＯ）、または多入力多出力（ＭＩＭＯ）のシステムを介して確立され得る。多入力多出力（ＭＩＭＯ）システムは、データ送信のための複数（ＮＴ）の送信アンテナおよび複数（ＮＲ）の受信アンテナをそれぞれ備える、送信機および受信機を含む。ＳＩＳＯシステムおよびＭＩＳＯシステムは多入力多出力（ＭＩＭＯ）システムの特定の例である。多入力多出力（ＭＩＭＯ）システムは、複数の送信アンテナおよび受信アンテナによって生み出される追加の次元が利用される場合、改善された性能（たとえば、より高いスループット、より大きい容量、または改善された信頼性）を提供することができる。
【０１４１】
[00138]ワイヤレス通信システムは、単入力多出力（ＳＩＭＯ）と多入力多出力（ＭＩＭＯ）の両方を利用することができる。ワイヤレス通信システムは、利用可能なシステムリソース（たとえば、帯域幅および送信電力）を共用することによって、複数のワイヤレス通信デバイスとの通信をサポートすることが可能な、多元接続システムとすることができる。そのような多元接続システムの例は、符号分割多元接続（ＣＤＭＡ）システム、広帯域符号分割多元接続（Ｗ−ＣＤＭＡ（登録商標））システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナシッププロジェクト（３ＧＰＰ）ロングタームエボリューション（ＬＴＥ）システム、および空間分割多元接続（ＳＤＭＡ）システムを含む。
【０１４２】
[00139]第３世代パートナシッププロジェクト（３ＧＰＰ）は、世界的に適用可能な第３世代（３Ｇ）モバイルフォン仕様を定義しようと目指している電気通信協会の部会間の共同研究である。３ＧＰＰロングタームエボリューション（ＬＴＥ）は、ユニバーサルモバイル通信システム（ＵＭＴＳ）モバイルフォン規格を改良することを目指した３ＧＰＰプロジェクトである。３ＧＰＰは、次世代のモバイルネットワーク、モバイルシステム、およびモバイルデバイスのための仕様を定義することができる。３ＧＰＰ  ＬＴＥでは、移動局またはデバイスは、「ユーザ機器」（ＵＥ）と呼ばれることがある。
【０１４３】
[00140]３ＧＰＰ仕様は、一般にユニバーサルモバイル通信システム（ＵＭＴＳ）として知られている、進化型モバイル通信用グローバルシステム（ＧＳＭ（登録商標））仕様に基づいている。３ＧＰＰ規格は、リリースとして構造化されている。したがって、３ＧＰＰについての説明は、しばしば１つのリリースまたは別のリリースにおける機能に言及している。たとえば、リリース９９は、ＣＤＭＡエアインターフェースを組み込んだ、最初のＵＭＴＳ第３世代（３Ｇ）ネットワークを規定する。リリース６は、ワイヤレスローカルエリアネットワーク（ＬＡＮ）を用いる動作を組み込み、高速アップリンクパケットアクセス（ＨＳＵＰＡ）を追加する。リリース８は、デュアルダウンリンクキャリアを導入し、リリース９は、ＵＭＴＳの場合に、デュアルキャリア動作をアップリンクにまで拡張する。
【０１４４】
[00141]ＣＤＭＡ２０００は、ワイヤレスデバイス間で音声、データ、およびシグナリングを送信するために符号分割多元接続（ＣＤＭＡ）を使用する、第３世代（３Ｇ）技術規格のファミリーである。ＣＤＭＡ２０００は、ＣＤＭＡ２０００  １Ｘ、ＣＤＭＡ２０００  ＥＶ−ＤＯ  Ｒｅｖ．０、ＣＤＭＡ２０００  ＥＶ−ＤＯ  Ｒｅｖ．Ａ、およびＣＤＭＡ２０００  ＥＶ−ＤＯ  Ｒｅｖ．Ｂを含み得る。１ｘまたは１ｘＲＴＴは、コアＣＤＭＡ２０００ワイヤレスエアインターフェース規格を示す。１ｘは、より具体的には、１倍無線送信技術に言及し、ＩＳ−９５において使用されるのと同じ無線周波数（ＲＦ）帯域幅を示す。１ｘＲＴＴは、６４個の追加のトラフィックチャネルを順方向リンクに追加する。ＥＶ−ＤＯは、エボリューションデータオプティマイズドのことである。ＥＶ−ＤＯは、無線信号によるデータのワイヤレス送信のための電気通信規格である。
【０１４５】
[00142]「決定する」という用語は、多種多様な行為を包含し、したがって「決定する」は、算出すること、計算すること、処理すること、導出すること、調査すること、検索すること（たとえば、テーブル、データベース、または別のデータ構造内で検索すること）、および確認することなどを含み得る。また、「決定する」は、受信すること（たとえば、情報を受信すること）、およびアクセスすること（たとえば、メモリ内のデータにアクセスすること）などを含み得る。また、「決定する」は、解決すること、選択すること、選ぶこと、および確立することなどを含み得る。
【０１４６】
[00143]「〜に基づく」という句は、別に明示的に指定されない限り、「〜にのみ基づく」を意味しない。言い換えれば、「〜に基づく」という句は、「〜にのみ基づく」と「〜に少なくとも基づく」の両方のことを述べている。
【０１４７】
[00144]「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、および状態機械などを包含するように広く解釈されるべきである。いくつかの環境下では、「プロセッサ」は、特定用途向け集積回路（ＡＳＩＣ）、プログラム可能論理デバイス（ＰＬＤ）、フィールドプログラマブルゲートアレイ（ＦＰＧＡ）を指すことができる。「プロセッサ」という用語は、処理デバイスの組合せ、たとえば、ＤＳＰとマイクロプロセッサの組合せ、複数のマイクロプロセッサ、ＤＳＰコアと連携する１つもしくは複数のマイクロプロセッサ、または他の任意のそのような構成を指すことができる。
【０１４８】
[00145]「メモリ」という用語は、電子情報を記憶することが可能な任意の電子構成要素を包含するように広く解釈されるべきである。メモリという用語は、ランダムアクセスメモリ（ＲＡＭ）、リードオンリーメモリ（ＲＯＭ）、不揮発性ランダムアクセスメモリ（ＮＶＲＡＭ）、プログラム可能リードオンリーメモリ（ＰＲＯＭ）、消去可能プログラム可能リードオンリーメモリ（ＥＰＲＯＭ）、電気的消去可能ＰＲＯＭ（ＥＥＰＲＯＭ）、フラッシュメモリ、磁気または光データ記憶装置、レジスタなど、様々なタイプのプロセッサ可読媒体を指すことができる。プロセッサが、メモリから情報を読むこと、および／またはメモリに情報を書くことができる場合、メモリは、プロセッサと電子的に通信すると言われる。プロセッサに不可欠なメモリは、プロセッサと電子的に通信する。
【０１４９】
[00146]「命令」および「コード」という用語は、任意のタイプのコンピュータ可読ステートメントを含むように広く解釈されるべきである。たとえば、「命令」および「コード」という用語は、１つまたは複数のプログラム、ルーチン、サブルーチン、関数、プロシージャなどを指すことができる。「命令」および「コード」は、単一のコンピュータ可読ステートメントまたは多くのコンピュータ可読ステートメントを備えることができる。
【０１５０】
[00147]本明細書で説明された機能は、ハードウェアによって実行されるソフトウェアまたはファームウェアで実施され得る。機能は、コンピュータ可読媒体上に１つまたは複数の命令として記憶され得る。「コンピュータ可読媒体」または「コンピュータプログラム製品」という用語は、コンピュータまたはプロセッサによってアクセスされ得る任意の有形な記憶媒体を指す。例として、限定することなく、コンピュータ可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコードを命令もしくはデータ構造の形態で搬送もしくは記憶し得、コンピュータによってアクセスされ得る他の任意の媒体を備えることができる。本明細書で使用される場合、ディスク（ｄｉｓｋ、ｄｉｓｃ）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ｄｉｓｋは、通常、磁気的にデータを再生し、一方、ｄｉｓｃは、レーザーを用いて光学的にデータを再生する。コンピュータ可読媒体は、有形および非一時的とすることができることに留意されたい。「コンピュータプログラム製品」という用語は、コンピューティングデバイスまたはプロセッサによって実行、処理、または計算され得るコードまたは命令（たとえば、「プログラム」）と組み合わされたコンピューティングデバイスまたはプロセッサを指す。本明細書で使用される場合、「コード」という用語は、コンピューティングデバイスまたはプロセッサによって実行可能なソフトウェア、命令、コード、またはデータを指すことができる。
【０１５１】
[00148]ソフトウェアまたは命令は、送信媒体上で送信もされ得る。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１５２】
[00149]本明細書で開示される方法は、説明された方法を達成するための１つまたは複数のステップまたはアクションを備える。方法のステップおよび／またはアクションは、請求項の範囲から逸脱することなく、互いに入れ替えられ得る。言い換えれば、説明されている方法の適切な動作のために、ステップまたはアクションの特定の順序が必要とされない限り、特定のステップおよび／またはアクションの順序および／または使用は、請求項の範囲から逸脱することなく、変更され得る。
【０１５３】
[00150]さらに、図２によって示されたものなど、本明細書で説明する方法および技法を実行するためのモジュールおよび／または他の適切な手段は、デバイスによってダウンロードされ、および／または他の方法で取得され得ることを諒解されたい。たとえば、デバイスは、本明細書で説明された方法を実行するための手段の転送を容易にするために、サーバに結合され得る。代替として、本明細書で説明された様々な方法は、デバイスに記憶手段を結合または提供したときに、デバイスが様々な方法を獲得できるように、記憶手段（たとえば、ランダムアクセスメモリ（ＲＡＭ）、リードオンリーメモリ（ＲＯＭ）、コンパクトディスク（ＣＤ）またはフロッピディスクなどの物理記憶媒体など）を介して提供され得る。さらに、本明細書で説明された方法および技法をデバイスに提供するための他の任意の適切な技法が、利用され得る。
【０１５４】
[00151]請求項は、上で説明された通りの構成および構成要素に限定されないことを諒解されたい。請求項の範囲から逸脱することなく、本明細書で説明されたシステム、方法、および装置の構成、動作、および詳細において、様々な修正、変更、および変形が行われ得る。
以下に、本願出願の当初の特許請求の範囲に記載された発明を付記する。
［Ｃ１］  送信信号リークを低減するためのトランシーバであって、
フィードバック信号を生成するために受信信号をダウンコンバートするダウンコンバータと、
重みを獲得するために前記フィードバック信号を送信信号と相関させる重み学習モジュールと、
前記重みおよび前記送信信号に基づいて推定送信リーク信号を獲得する送信リーク推定器と、
前記推定送信リーク信号に基づいて前記受信信号における送信リークを低減する加算器と
を備えるトランシーバ。
［Ｃ２］  前記受信信号が、送信リークと、所望受信信号とを備える、Ｃ１に記載のトランシーバ。
［Ｃ３］  前記重み学習モジュールが、乗算器と、加算器と、ナローパスフィルタとを備える、Ｃ１に記載のトランシーバ。
［Ｃ４］  前記加算器の入力が、低雑音増幅器の出力に結合される、Ｃ１に記載のトランシーバ。
［Ｃ５］  前記加算器の出力が、低雑音増幅器の入力に結合される、Ｃ１に記載のトランシーバ。
［Ｃ６］  所望受信信号を獲得するために、前記加算器が、前記推定送信リーク信号を前記受信信号から減算する、Ｃ１に記載のトランシーバ。
［Ｃ７］  ベースバンド受信信号と前記送信信号との間のゼロ相関が原因で、前記推定送信リーク信号が、前記所望受信信号のいかなる部分も備えない、Ｃ６に記載のトランシーバ。
［Ｃ８］  前記フィードバック信号と前記送信信号の相関部分に起因する信号ゲインを決定することによって、前記重みが、獲得される、Ｃ１に記載のトランシーバ。
［Ｃ９］  前記重みが、直流信号である、Ｃ１に記載のトランシーバ。
［Ｃ１０］  前記送信リーク推定器が、ゼロ電流を引き込む受動構成要素のみを備える、Ｃ１に記載のトランシーバ。
［Ｃ１１］  前記送信信号リークが、デュプレクサを通して前記受信信号上に漏れる、Ｃ１に記載のトランシーバ。
［Ｃ１２］  前記デュプレクサが、表面弾性波フィルタ、バルク弾性波フィルタ、セラミックフィルタ、ＬＣフィルタ、および送信フィルタのうちの１つを使用して実施される、Ｃ１１に記載のトランシーバ。
［Ｃ１３］  前記送信リーク推定器が、
複数の９０度ハイブリッドと、
複数のトランジスタと、
電力結合器と
を備える、Ｃ１に記載のトランシーバ。
［Ｃ１４］  前記送信信号が、アップコンバートされた送信信号から獲得された結合送信信号である、Ｃ１に記載のトランシーバ。
［Ｃ１５］  前記送信信号が、ベースバンド送信信号である、Ｃ１に記載のトランシーバ。
［Ｃ１６］  送信信号リークを低減するための方法であって、
フィードバック信号を生成するために受信信号をダウンコンバートすることと、
重みを獲得するために前記フィードバック信号を送信信号と相関させることと、
前記重みおよび前記送信信号に基づいて推定送信リーク信号を獲得することと、
前記推定送信リーク信号に基づいて前記受信信号における前記送信リークを低減することと
を備える方法。
［Ｃ１７］  前記受信信号が、送信リークと、所望受信信号とを備える、Ｃ１６に記載の方法。
［Ｃ１８］  前記重みが、乗算器と、加算器と、ナローパスフィルタとを使用して獲得される、Ｃ１６に記載の方法。
［Ｃ１９］  所望受信信号を獲得するために前記推定送信リーク信号を前記受信信号から減算する加算器を使用して、前記受信信号における前記送信リークが、低減される、Ｃ１６に記載の方法。
［Ｃ２０］  前記加算器の入力が、低雑音増幅器の出力に結合される、Ｃ１９に記載の方法。
［Ｃ２１］  前記加算器の出力が、低雑音増幅器の入力に結合される、Ｃ１９に記載の方法。
［Ｃ２２］  ベースバンド受信信号と前記送信信号との間のゼロ相関が原因で、前記推定送信リーク信号が、前記所望受信信号のいかなる部分も備えない、Ｃ１９に記載の方法。
［Ｃ２３］  前記フィードバック信号と前記送信信号の相関部分に起因する信号ゲインを決定することによって、前記重みが、獲得される、Ｃ１６に記載の方法。
［Ｃ２４］  前記重みが、直流信号である、Ｃ１６に記載の方法。
［Ｃ２５］  ゼロ電流を引き込む受動構成要素のみを備える送信リーク推定器を使用して、前記推定送信リーク信号が、獲得される、Ｃ１６に記載の方法。
［Ｃ２６］  前記送信信号リークが、デュプレクサを通して前記受信信号上に漏れる、Ｃ１６に記載の方法。
［Ｃ２７］  前記デュプレクサが、表面弾性波フィルタ、バルク弾性波フィルタ、セラミックフィルタ、ＬＣフィルタ、および送信フィルタのうちの１つを使用して実施される、Ｃ２６に記載の方法。
［Ｃ２８］  前記送信リーク推定が、
複数の９０度ハイブリッドと、
複数のトランジスタと、
電力結合器と
を備える回路を使用して、獲得される、Ｃ１６に記載の方法。
［Ｃ２９］  前記送信信号が、アップコンバートされた送信信号から獲得された結合送信信号である、Ｃ１６に記載の方法。
［Ｃ３０］  前記送信信号が、ベースバンド送信信号である、Ｃ１６に記載の方法。
［Ｃ３１］  トランシーバ上において送信信号リークを低減するためのコンピュータプログラム製品であって、前記コンピュータプログラム製品が、命令を有する非一時的なコンピュータ可読媒体を備え、前記命令が、
フィードバック信号を生成するために前記トランシーバに受信信号をダウンコンバートさせるためのコードと、
重みを獲得するために前記トランシーバに前記フィードバック信号を送信信号と相関させるためのコードと、
前記重みおよび前記送信信号に基づいて前記トランシーバに推定送信リーク信号を獲得させるためのコードと、
前記推定送信リーク信号に基づいて前記トランシーバに前記受信信号における前記送信リークを低減させるためのコードと
を備える、コンピュータプログラム製品。
［Ｃ３２］  前記受信信号が、送信リークと、所望受信信号とを備える、Ｃ３１に記載のコンピュータプログラム製品。
［Ｃ３３］  前記重みが、乗算器と、加算器と、ナローパスフィルタとを使用して獲得される、Ｃ３１に記載のコンピュータプログラム製品。
［Ｃ３４］  所望受信信号を獲得するために前記推定送信リーク信号を前記受信信号から減算する加算器を使用して、前記受信信号における前記送信リークが、低減される、Ｃ３１に記載のコンピュータプログラム製品。
［Ｃ３５］  前記加算器の入力が、低雑音増幅器の出力に結合される、Ｃ３４に記載のコンピュータプログラム製品。
［Ｃ３６］  前記加算器の出力が、低雑音増幅器の入力に結合される、Ｃ３４に記載のコンピュータプログラム製品。
［Ｃ３７］  送信信号リークを低減するためのトランシーバであって、
フィードバック信号を生成するために受信信号をダウンコンバートするための手段と、
重みを獲得するために前記フィードバック信号を送信信号と相関させるための手段と、
前記重みおよび前記送信信号に基づいて推定送信リーク信号を獲得するための手段と、
前記推定送信リーク信号に基づいて前記受信信号における前記送信リークを低減するための手段と
を備えるトランシーバ。
［Ｃ３８］  前記受信信号が、送信リークと、所望受信信号とを備える、Ｃ３７に記載のトランシーバ。
［Ｃ３９］  前記フィードバック信号を前記送信信号と相関させるための前記手段が、乗算器と、加算器と、ナローパスフィルタとを備える、Ｃ３７に記載のトランシーバ。
［Ｃ４０］  前記受信信号における前記送信リークを低減するための前記手段が、所望受信信号を獲得するために前記推定送信リーク信号を前記受信信号から減算する加算器を備える、Ｃ３７に記載のトランシーバ。
［Ｃ４１］  前記加算器の入力が、低雑音増幅器の出力に結合される、Ｃ４０に記載のトランシーバ。
［Ｃ４２］  前記加算器の出力が、低雑音増幅器の入力に結合される、Ｃ４０に記載のトランシーバ。
【図１】
0006033983.tif 000026
【図２】
0006033983.tif 000027
【図３】
0006033983.tif 000028
【図４】
0006033983.tif 000029
【図５】
0006033983.tif 000030
【図６】
0006033983.tif 000031
【図７】
0006033983.tif 000032